(57)【要約】  本発明は、データ伝送方法及び装置を開示する。前記方法は、送信側がフィードバック情報を受信する前に、前記送信側が前記受信側へ同じ情報を含む複数のデータパケットを連続的に送信し、前記フィードバック情報が前記受信側が前記複数のデータパケットの少なくとも部分のデータパケットを正確に受信したか否かを示すことに用いられることと、前記送信側が前記受信側から送信された前記フィードバック情報を受信することと、前記送信側が前記フィードバック情報に基づいて後続のデータを伝送することとを含む。該解決策では、送信側は、受信側から送信されたフィードバック情報を受信するまで、受信側へ同じ情報を含む複数のデータパケットを連続的に送信することができ、送信側はフィードバック情報に基づいて後続のデータ伝送を確定する。このようなデータ伝送メカニズムでは、送信側がずっと受信側へ同じ情報を含むデータパケットを送信するので、データ伝送の信頼性を向上させることができる。
2019526946.tif 000002
【特許請求の範囲】
【請求項１】
データ伝送方法であって、
送信側がフィードバック情報を受信する前に、前記送信側が前記受信側へ同じ情報を含む複数のデータパケットを連続的に送信し、前記フィードバック情報が前記受信側が前記複数のデータパケットの少なくとも部分のデータパケットを正確に受信したか否かを示すことに用いられることと、
前記送信側が前記受信側から送信された前記フィードバック情報を受信することと、
前記送信側が前記フィードバック情報に基づいて後続のデータを伝送することとを含む、データ伝送方法。
【請求項２】
前記送信側が前記受信側へ同じ情報を含む複数のデータパケットを連続的に送信することは、
前記送信側が前記複数のデータパケットの各々に対応する伝送パターンに基づき、前記受信側へ前記複数のデータパケットを連続的に送信することを含むことを特徴とする
請求項１に記載の方法。
【請求項３】
前記送信側が受信側へ同じ情報を含む複数のデータパケットを連続的に送信することは、
前記送信側が少なくとも２つの伝送パターンに基づいて前記受信側へ前記複数のデータパケットを送信することを含むことを特徴とする
請求項２に記載の方法。
【請求項４】
前記フィードバック情報が前記複数のデータパケットのうちのターゲットデータパケットの伝送情報を含み、前記送信側が前記フィードバック情報に基づいて後続のデータを伝送することは、
前記送信側が前記ターゲットデータパケットの伝送情報に基づき、前記ターゲットデータパケットに対応する伝送パターンを確定することと、
前記送信側が前記ターゲットデータパケットに対応する伝送パターンに基づき、後続のデータを伝送するための伝送パターンを確定することと、
前記送信側が前記後続のデータパケットを伝送するための伝送パターンで、前記後続のデータを伝送することとを含むことを特徴とする
請求項２又は３に記載の方法。
【請求項５】
前記ターゲットデータパケットの伝送情報は、前記ターゲットデータパケットに対応する伝送パターン及び／又は前記ターゲットデータパケットの伝送シーケンス番号を含むことを特徴とする
請求項４に記載の方法。
【請求項６】
前記ターゲットデータパケットは、
前記受信側に正確に受信されていないデータパケットと、
前記受信側に正確に受信されたデータパケットと、
前記複数のデータパケットを伝送するための少なくとも一つのチャネルのうちのチャネル品質が最も良いチャネルで伝送されたデータパケットと、
前記複数のデータパケットを伝送するための少なくとも一つのチャネルのうちのチャネル品質が最も悪いチャネルで伝送されたデータパケットと、
前記複数のデータパケットのうちの誤り検出率が最も低いデータパケットと、
前記複数のデータパケットのうちの誤り検出率が最も高いデータパケットのいずれか一つのデータパケットとを含むことを特徴とする
請求項４又は５に記載の方法。
【請求項７】
前記伝送パターンは、
ハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報から構成されることを特徴とする
請求項２乃至６のいずれか一項に記載の方法。
【請求項８】
前記複数のデータパケットの各々に対応する伝送パターンは前記送信側と前記受信側とによって予め定められたものであり、又は
前記複数のデータパケットの各々に対応する伝送パターンは前記送信側がシグナリングによって前記受信側に送信したものであることを特徴とする
請求項２乃至７のいずれか一項に記載の方法。
【請求項９】
前記フィードバック情報は前記受信側が前記送信側から送信された前記複数のデータパケットのうちの指定されたデータパケットを正確に受信したか否かを示すための指示情報を含み、前記指定されたデータパケットが前記フィードバック情報とプリセット時間シーケンス関係を有するデータパケットであることを特徴とする
請求項１乃至８のいずれか一項に記載の方法。
【請求項１０】
前記プリセット時間シーケンス関係は前記送信側と前記受信側とによって予め定められた時間シーケンス関係であり、又は
前記プリセット時間シーケンス関係は前記送信側がシグナリングによって前記受信側に送信したものであることを特徴とする
請求項９に記載の方法。
【請求項１１】
前記フィードバック情報は、
前記受信側が前記複数のデータパケットのうちのいずれか一つのデータパケットである第一のデータパケットを正確に受信したか否かを示すための指示情報と、
前記受信側が前記複数のデータパケットのうちの少なくとも２つのデータパケットを正確に受信したか否かを示すための指示情報と、
前記受信側が前記複数のデータパケットに含まれる情報を正確に受信したか否かを示すための指示情報のいずれか一つを含むことを特徴とする
請求項１乃至８のいずれか一項に記載の方法。
【請求項１２】
前記送信側が前記フィードバック情報に基づいて後続のデータを伝送することは、
前記フィードバック情報に確認ＡＣＫ情報が含まれる場合、前記送信側が前記複数のデータパケットに含まれる情報と同じデータパケットの送信を停止することと、
前記フィードバック情報に否定ＮＡＣＫ情報が含まれる場合、前記送信側が前記複数のデータパケットに含まれる情報と同じデータパケットを伝送することとを含むことを特徴とする
請求項１乃至１１のいずれか一項に記載の方法。
【請求項１３】
前記方法はさらに、
前記送信側によって送信された前記複数のデータパケットの数が予め設定された閾値以上である場合、前記送信側が前記複数のデータパケットに含まれる情報と同じデータパケットの送信を停止することを含むことを特徴とする
請求項１乃至１２のいずれか一項に記載の方法。
【請求項１４】
前記送信側が前記受信側へ同じ情報を含む複数のデータパケットを連続的に送信する前に、前記方法はさらに、
前記送信側が、前記複数のデータパケットを受信するように前記受信側に指示するためのスケジューリングシグナリングを前記受信側に送信すること、又は
前記送信側が、前記複数のデータパケットと一対一で対応する複数のスケジューリングシグナリングを前記受信側に送信し、前記複数のスケジューリングシグナリングの各々が前記各スケジューリングシグナリングに対応するデータパケットを受信するように前記受信側に指示することに用いられることを含むことを特徴とする
請求項１乃至１３のいずれか一項に記載の方法。
【請求項１５】
データ伝送方法であって、
受信側が送信側によって連続的に送信された、同じ情報を含む複数のデータパケットを受信することと、
前記受信側が前記複数のデータパケットのうちの少なくとも部分のデータパケットを検出し、前記少なくとも部分のデータパケットの検出結果を確定することと、
前記受信側が前記少なくとも部分のデータパケットの検出結果に基づき、前記少なくとも部分のデータパケットの前記フィードバック情報を確定し、前記フィードバック情報が前記受信側が前記複数のデータパケットのうちの少なくとも部分のデータパケットを正確に受信したか否かを示すための指示情報を含むことと、
前記受信側が前記送信側へ前記フィードバック情報を送信することとを含むデータ伝送方法。
【請求項１６】
前記受信側が前記送信側によって連続的に送信された、同じ情報を含む複数のデータパケットを受信することは、
前記受信側が前記複数のデータパケットの各々に対応する伝送パターンに基づき、前記送信側によって連続的に送信された、同じ情報を含む複数のデータパケットを受信することを含むことを特徴とする
請求項１５に記載の方法。
【請求項１７】
前記受信側が送信側によって連続的に送信された、同じ情報を含む複数のデータパケットを受信することは、
前記受信側が少なくとも２つの伝送パターンに基づいて前記送信側から送信された同じ情報を含む前記複数のデータパケットを受信することを含むことを特徴とする
請求項１６に記載の方法。
【請求項１８】
前記受信側が前記送信側へ前記フィードバック情報を送信することは、
前記受信側が前記送信側へ前記フィードバック情報を送信することを含み、前記フィードバック情報が前記複数のデータパケットのうちのターゲットデータパケットに対応する伝送パターン及び／又は前記ターゲットデータパケットの伝送シーケンス番号を示すための情報を含むことを特徴とする
請求項１６又は１７に記載の方法。
【請求項１９】
前記ターゲットデータパケットは、
前記受信側に正確に受信されていないデータパケットと、
前記受信側に正確に受信されたデータパケットと、
前記複数のデータパケットを伝送するための少なくとも一つのチャネルのうちのチャネル品質が最も良いチャネルで伝送されたデータパケットと、
前記複数のデータパケットを伝送するための少なくとも一つのチャネルのうちのチャネル品質が最も悪いチャネルで伝送されたデータパケットと、
前記複数のデータパケットのうちの誤り検出率が最も低いデータパケットと、
前記複数のデータパケットのうちの誤り検出率が最も高いデータパケットのいずれか一つのデータパケットとを含むことを特徴とする
請求項１８に記載の方法。
【請求項２０】
前記伝送パターンは、
ハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報から構成されることを特徴とする
請求項１６乃至１９のいずれか一項に記載の方法。
【請求項２１】
前記複数のデータパケットの各々に対応する伝送パターンは前記送信側と前記受信側とによって予め定められたものであり、又は
前記複数のデータパケットの各々に対応する伝送パターンは前記送信側がシグナリングによって前記受信側に送信したものであることを特徴とする
請求項１５乃至２０のいずれか一項に記載の方法。
【請求項２２】
前記受信側が前記送信側へ前記フィードバック情報を送信することは、
前記受信側が前記送信側へ前記フィードバック情報を送信することを含み、前記フィードバック情報が前記受信側が前記送信側から送信された前記複数のデータパケットのうちの指定されたデータパケットを正確に受信したか否かを示すための指示情報を含み、前記指定されたデータパケットが前記フィードバック情報とプリセット時間シーケンス関係を有するデータパケットであることを特徴とする
請求項１５乃至２１のいずれか一項に記載の方法。
【請求項２３】
前記プリセット時間シーケンス関係は前記送信側と前記受信側とによって予め定められた時間シーケンス関係であり、又は
前記プリセット時間シーケンス関係は前記送信側がシグナリングによって前記受信側に送信したものであることを特徴とする
請求項２２に記載の方法。
【請求項２４】
前記フィードバック情報は、
前記受信側が前記複数のデータパケットのうちのいずれか一つのデータパケットである第一のデータパケットを正確に受信したか否かを示すための指示情報と、
前記受信側が前記複数のデータパケットのうちの少なくとも２つのデータパケットを正確に受信したか否かを示すための指示情報と、
前記受信側が前記複数のデータパケットに含まれる情報を正確に受信したか否かを示すための指示情報のいずれか一つを含むことを特徴とする
請求項１５乃至２３のいずれか一項に記載の方法。
【請求項２５】
前記受信側が送信側によって連続的に送信された、同じ情報を含む複数のデータパケットを受信する前に、前記方法はさらに、
前記受信側が前記送信側から送信されたスケジューリングシグナリングを受信し、前記スケジューリングシグナリングが前記送信側から送信された前記複数のデータパケットを受信するように前記受信側に指示することに用いられること、又は、
前記受信側が前記複数のデータパケットと一対一で対応する複数のスケジューリングシグナリングを受信し、前記複数のスケジューリングシグナリングの各々が前記各スケジューリングシグナリングに対応するデータパケットを受信するように前記受信側に指示することに用いられることを含むことを特徴とする
請求項１５乃至２４のいずれか一項に記載の方法。
【請求項２６】
前記受信側が前記複数のデータパケットのうちの少なくとも部分のデータパケットを検出することは、
前記受信側が前記複数のデータパケットの各々を検出すること、又は
前記受信側が前記複数のデータパケットのうちの少なくとも２つのデータパケットに対して併せて検出を行うことを含むことを特徴とする
請求項１５乃至２５のいずれか一項に記載の方法。
【請求項２７】
データ伝送装置であって、
フィードバック情報を受信する前に、前記受信側へ同じ情報を含む複数のデータパケットを連続的に送信するように構成され、前記フィードバック情報が前記受信側が前記複数のデータパケットの少なくとも部分のデータパケットを正確に受信したか否かを示すことに用いられる第一の送信モジュールと、
前記受信側から送信された前記フィードバック情報を受信するように構成される受信モジュールと、
前記フィードバック情報に基づいて後続のデータを伝送するように構成される第一の処理モジュールとを備える装置。
【請求項２８】
前記第一の送信モジュールは具体的に、
前記複数のデータパケットの各々に対応する伝送パターンに基づき、前記受信側へ前記複数のデータパケットを連続的に送信するように構成されることを特徴とする
請求項２７に記載の装置。
【請求項２９】
前記第一の送信モジュールは具体的に少なくとも２つの伝送パターンに基づいて前記受信側へ前記複数のデータパケットを送信するように構成されることを特徴とする
請求項２８に記載の装置。
【請求項３０】
前記フィードバック情報が前記複数のデータパケットのうちのターゲットデータパケットの伝送情報を含み、前記第一の処理モジュールは具体的に、
前記ターゲットデータパケットの伝送情報に基づき、前記ターゲットデータパケットに対応する伝送パターンを確定し、
前記ターゲットデータパケットに対応する伝送パターンに基づき、後続のデータを伝送するための伝送パターンを確定し、
前記後続のデータパケットを伝送するための伝送パターンで、前記後続のデータを伝送するように構成されることを特徴とする
請求項２７又は２９に記載の装置。
【請求項３１】
前記ターゲットデータパケットの伝送情報は前記ターゲットデータパケットに対応する伝送パターン及び／又は前記ターゲットデータパケットの伝送シーケンス番号を含むことを特徴とする
請求項３０に記載の装置。
【請求項３２】
前記ターゲットデータパケットは、
前記受信側に正確に受信されていないデータパケットと、
前記受信側に正確に受信されたデータパケットと、
前記複数のデータパケットを伝送するための少なくとも一つのチャネルのうちのチャネル品質が最も良いチャネルで伝送されたデータパケットと、
前記複数のデータパケットを伝送するための少なくとも一つのチャネルのうちのチャネル品質が最も悪いチャネルで伝送されたデータパケットと、
前記複数のデータパケットのうちの誤り検出率が最も低いデータパケットと、
前記複数のデータパケットのうちの誤り検出率が最も高いデータパケットのいずれか一つのデータパケットとを含むことを特徴とする
請求項３０又は３１に記載の装置。
【請求項３３】
前記伝送パターンは、
ハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報から構成されることを特徴とする
請求項２７乃至３２のいずれか一項に記載の装置。
【請求項３４】
前記複数のデータパケットの各々に対応する伝送パターンは前記送信側と前記受信側とによって予め定められたものであり、又は
前記複数のデータパケットの各々に対応する伝送パターンは前記送信側がシグナリングによって前記受信側に送信したものであることを特徴とする
請求項２７乃至３３のいずれか一項に記載の装置。
【請求項３５】
前記フィードバック情報は前記受信側が前記送信側から送信された前記複数のデータパケットのうちの指定されたデータパケットを正確に受信したか否かを示すための指示情報を含み、前記指定されたデータパケットが前記フィードバック情報とプリセット時間シーケンス関係を有するデータパケットであることを特徴とする
請求項２７乃至３４のいずれか一項に記載の装置。
【請求項３６】
前記プリセット時間シーケンス関係は前記送信側と前記受信側とによって予め定められた時間シーケンス関係であり、又は
前記プリセット時間シーケンス関係は前記送信側がシグナリングによって前記受信側に送信したものであることを特徴とする
請求項３５に記載の装置。
【請求項３７】
前記フィードバック情報は、
前記受信側が前記複数のデータパケットのうちのいずれか一つのデータパケットである第一のデータパケットを正確に受信したか否かを示すための指示情報と、
前記受信側が前記複数のデータパケットのうちの少なくとも２つのデータパケットを正確に受信したか否かを示すための指示情報と、
前記受信側が前記複数のデータパケットに含まれる情報を正確に受信したか否かを示すための指示情報のいずれか一つを含むことを特徴とする
請求項２７乃至３６のいずれか一項に記載の装置。
【請求項３８】
前記第一の処理モジュールは具体的に、
前記フィードバック情報に確認ＡＣＫ情報が含まれる場合、前記複数のデータパケットに含まれる情報と同じデータパケットの送信を停止し、
前記フィードバック情報に否定ＮＡＣＫ情報が含まれる場合、前記複数のデータパケットに含まれる情報と同じデータパケットを伝送するように構成されることを特徴とする
請求項２７乃至３７のいずれか一項に記載の装置。
【請求項３９】
前記装置はさらに、
前記送信側によって送信された前記複数のデータパケットの数が予め設定された閾値以上である場合、前記複数のデータパケットに含まれる情報と同じデータパケットの送信を停止するように構成される第二の処理モジュールを備えることを特徴とする
請求項２７乃至３８のいずれか一項に記載の装置。
【請求項４０】
前記装置はさらに、
前記複数のデータパケットを受信するように前記受信側に指示するためのスケジューリングシグナリングを前記受信側に送信するように構成され、又は
前記複数のデータパケットと一対一で対応する複数のスケジューリングシグナリングを前記受信側に送信するように構成され、前記複数のスケジューリングシグナリングの各々が前記各スケジューリングシグナリングに対応するデータパケットを受信するように前記受信側に指示することに用いられる第二の送信モジュールを備えることを特徴とする
請求項２７乃至３９のいずれか一項に記載の装置。
【請求項４１】
データ伝送装置であって、
送信側によって連続的に送信された、同じ情報を含む複数のデータパケットを受信するように構成される第一の受信モジュールと、
前記複数のデータパケットのうちの少なくとも部分のデータパケットを検出し、前記少なくとも部分のデータパケットの検出結果を確定するように構成される検出モジュールと、
前記少なくとも部分のデータパケットの検出結果に基づき、前記少なくとも部分のデータパケットの前記フィードバック情報を確定するように構成され、前記フィードバック情報が前記受信側が前記複数のデータパケットのうちの少なくとも部分のデータパケットを正確に受信したか否かを示すための指示情報を含む確定モジュールと、
前記送信側へ前記フィードバック情報を送信するように構成される送信モジュールとを備える、データ伝送装置。
【請求項４２】
前記第一の受信モジュールは具体的に、
前記複数のデータパケットの各々に対応する伝送パターンに基づき、前記送信側によって連続的に送信された、同じ情報を含む複数のデータパケットを受信するように構成されることを特徴とする
請求項４１に記載の装置。
【請求項４３】
前記第一の受信モジュールは具体的に、
少なくとも２つの伝送パターンに基づいて前記送信側から送信された同じ情報を含む前記複数のデータパケットを受信するように構成されることを特徴とする
請求項４２に記載の装置。
【請求項４４】
前記送信モジュールは具体的に、
前記送信側へ前記フィードバック情報を送信するように構成され、前記フィードバック情報が前記複数のデータパケットのうちのターゲットデータパケットに対応する伝送パターン及び／又は前記ターゲットデータパケットの伝送シーケンス番号を示すための情報を含むことを特徴とする
請求項４２又は４３に記載の装置。
【請求項４５】
前記ターゲットデータパケットは、
前記受信側に正確に受信されていないデータパケットと、
前記受信側に正確に受信されたデータパケットと、
前記複数のデータパケットを伝送するための少なくとも一つのチャネルのうちのチャネル品質が最も良いチャネルで伝送されたデータパケットと、
前記複数のデータパケットを伝送するための少なくとも一つのチャネルのうちのチャネル品質が最も悪いチャネルで伝送されたデータパケットと、
前記複数のデータパケットのうちの誤り検出率が最も低いデータパケットと、
前記複数のデータパケットのうちの誤り検出率が最も高いデータパケットのいずれか一つのデータパケットを含むことを特徴とする
請求項４４に記載の装置。
【請求項４６】
前記伝送パターンは、
ハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報から構成されることを特徴とする
請求項４２乃至４５のいずれか一項に記載の装置。
【請求項４７】
前記複数のデータパケットの各々に対応する伝送パターンは前記送信側と前記受信側とによって予め定められたものであり、又は
前記複数のデータパケットの各々に対応する伝送パターンは前記送信側がシグナリングによって前記受信側に送信したものであることを特徴とする
請求項４２乃至４６のいずれか一項に記載の装置。
【請求項４８】
送信モジュールは具体的に、
前記送信側へ前記フィードバック情報を送信するように構成され、前記フィードバック情報が前記受信側が前記送信側から送信された前記複数のデータパケットのうちの指定されたデータパケットを正確に受信したか否かを示すための指示情報を含み、前記指定されたデータパケットが前記フィードバック情報とプリセット時間シーケンス関係を有するデータパケットであることを特徴とする
請求項４１乃至４７のいずれか一項に記載の装置。
【請求項４９】
前記プリセット時間シーケンス関係は前記送信側と前記受信側とによって予め定められた時間シーケンス関係であり、又は
前記プリセット時間シーケンス関係は前記送信側がシグナリングによって前記受信側に送信したものであることを特徴とする
請求項４８に記載の装置。
【請求項５０】
前記フィードバック情報は、
前記受信側が前記複数のデータパケットのうちのいずれか一つのデータパケットである第一のデータパケットを正確に受信したか否かを示すための指示情報と、
前記受信側が前記複数のデータパケットのうちの少なくとも２つのデータパケットを正確に受信したか否かを示すための指示情報と、
前記受信側が前記複数のデータパケットに含まれる情報を正確に受信したか否かを示すための指示情報のいずれか一つを含むことを特徴とする
請求項４１乃至４９のいずれか一項に記載の装置。
【請求項５１】
前記装置はさらに、
前記送信側から送信されたスケジューリングシグナリングを受信するように構成され、前記スケジューリングシグナリングが前記送信側から送信された前記複数のデータパケットを受信するように前記受信側に指示することに用いられ、又は、
前記複数のデータパケットと一対一で対応する複数のスケジューリングシグナリングを受信するように構成され、前記複数のスケジューリングシグナリングの各々が前記各スケジューリングシグナリングに対応するデータパケットを受信するように前記受信側に指示することに用いられる第二の受信モジュールを備えることを特徴とする
請求項４１乃至５０のいずれか一項に記載の装置。
【請求項５２】
前記検出モジュールは具体的に、
前記複数のデータパケットの各々を検出するように構成され、又は前記複数のデータパケットのうちの少なくとも２つのデータパケットに対して併せて検出を行うように構成されることを特徴とする
請求項４１乃至５１のいずれか一項に記載の装置。
【発明の詳細な説明】
【技術分野】
【０００１】
本発明は通信分野に関し、特にデータ伝送方法及び装置に関する。
【背景技術】
【０００２】
第５世代移動通信（５Ｇ：５  Ｇｅｎｅｒａｔｉｏｎ）技術では、データパケットの伝送遅延及び信頼性などの方面に対して、高い要求が求められている。特に、信頼性の高い低遅延通信（ＵＲＬＬＣ：Ｕｌｔｒａ−ｒｅｌｉａｂｌｅ  Ｌｏｗ−ｌａｔｅｎｃｙ  Ｃｏｍｍｕｎｉｃａｔｉｏｎ）サービスに対して、短い伝送遅延と高い伝送信頼性が要求される。長期進化（ＬＴＥ：Ｌｏｎｇ  Ｔｅｒｍ  Ｅｖｏｌｕｔｉｏｎ）の従来のデータ伝送メカニズムでは、送信側は、データパケットを送信した後、受信側から送信されたフィードバック情報を待ってから、フィードバック情報に基づいてデータパケットに対してハイブリッド自動再送リクエスト（ＨＡＲＱ：Ｈｙｂｒｉｄ  Ａｕｔｏｍａｔｉｃ  Ｒｅｐｅａｔ  ｒｅＱｕｅｓｔ）の再送を行う必要があるか否かを確定する必要がある。受信側がデータパケットのデータ検出及びフィードバック情報を行うために一定の時間がかかるため、このような「送信−待機−送信」というデータ伝送メカニズムは、大きい伝送遅延を引き起こし、同時に一般的に送信側がデータパケットを単一回数で伝送する際に、受信側から送信されたフィードバック情報に否定（ＮＡＣＫ：Ｎｅｇａｔｉｖｅ  ＡＣＫｎｏｗｌｅｄｇｍｅｎｔ）情報が含まれる確率が高く、この原因でも、上記のデータ伝送メカニズムがデータ伝送の信頼性を保証することが困難である。
【発明の概要】
【発明が解決しようとする課題】
【０００３】
本出願はデータ伝送の信頼性を向上させるように、データ伝送方法及び装置を提供する。
【課題を解決するための手段】
【０００４】
第一の態様では、本出願によるデータ伝送方法は、送信側がフィードバック情報を受信する前に、前記送信側が前記受信側へ同じ情報を含む複数のデータパケットを連続的に送信し、前記フィードバック情報が前記受信側が前記複数のデータパケットの少なくとも部分のデータパケットを正確に受信したか否かを示すことに用いられることと、前記送信側が前記受信側から送信された前記フィードバック情報を受信することと、前記送信側が前記フィードバック情報に基づいて後続のデータを伝送することとを含む。
【０００５】
該解決策では、送信側は、受信側から送信されたフィードバック情報を受信するまで、受信側へ同じ情報を含む複数のデータパケットを連続的に送信することができ、送信側はフィードバック情報に基づいて後続のデータ伝送を確定する。このようなデータ伝送メカニズムでは、送信側がずっと受信側へ同じ情報を含むデータパケットを送信するので、データ伝送の信頼性を向上させることができる。
【０００６】
同時に、上記データ伝送メカニズムでは、受信側がデータパケットのデータ検出及びフィードバック情報の送信を行う期間内で、送信側はずっと受信側へ同じ情報を含む複数のデータパケットを送信することができ、これによりデータ伝送遅延を短縮することができる。例えば、受信側が１番目のデータパケットが正確に受信できていない場合、後続の同じ情報を含むデータパケットが既に送信側によって受信側に送信されたので、受信側は後続の同じ情報を含むデータパケットを直ちに再検出することができ、従来のデータ伝送メカニズムのように、受信側が送信側へフィードバック情報を送信した後、受信側が送信側が同じ情報を含むデータパケットを再送することを待つ必要がない。
【０００７】
第一の態様と組み合わせ、第一の態様の一つの可能な実施形態では、前記送信側が前記受信側へ同じ情報を含む複数のデータパケットを連続的に送信することは、前記送信側が前記複数のデータパケットの各々に対応する伝送パターンに基づき、前記受信側へ前記複数のデータパケットを連続的に送信することを含む。
【０００８】
本解決策では、同じ情報を含む複数のデータパケットの各々がそれぞれ一つの伝送パターンに対応することができるので、送信側が複数のデータパケットを伝送する方式はより柔軟である。
【０００９】
第一の態様又は上記のいずれかの可能な実施形態と組み合わせ、第一の態様の一つの可能な実施形態では、前記送信側が受信側へ同じ情報を含む複数のデータパケットを連続的に送信することは、前記送信側が少なくとも２つの伝送パターンに基づいて前記受信側へ前記複数のデータパケットを送信することを含む。
【００１０】
本解決策では、送信側は異なる伝送パターンに基づいて受信側へ同じ情報を含む複数のデータパケットを送信することができ、伝送パターンの多様化によりデータパケット伝送方式の多様化をさらに図って、受信側がデータパケットを正確に受信する確率を向上させることができる。
【００１１】
第一の態様又は上記のいずれかの可能な実施形態と組み合わせ、第一の態様の一つの可能な実施形態では、前記フィードバック情報が前記複数のデータパケットのうちのターゲットデータパケットの伝送情報を含み、前記送信側が前記フィードバック情報に基づいて後続のデータを伝送することは、前記送信側が前記ターゲットデータパケットの伝送情報に基づき、前記ターゲットデータパケットに対応する伝送パターンを確定することと、前記送信側が前記ターゲットデータパケットに対応する伝送パターンに基づき、後続のデータを伝送するための伝送パターンを確定することと、前記送信側が前記後続のデータパケットを伝送するための伝送パターンで、前記後続のデータを伝送することとを含む。
【００１２】
本解決策では、送信側がターゲットデータパケットの伝送情報に基づき、後続のデータ伝送のための伝送パターンを調整することができるように、受信側は、フィードバック情報にターゲットデータパケットの伝送情報を含ませる。
【００１３】
第一の態様又は上記のいずれかの可能な実施形態と組み合わせ、第一の態様の一つの可能な実施形態では、前記フィードバック情報は前記複数のデータパケットのうちのターゲットデータパケットに対応する伝送パターン及び／又は前記ターゲットデータパケットの伝送シーケンス番号を含む。
【００１４】
本解決策では、送信側が受信側がターゲットデータパケットを正確に受信したか否かを確定することができるように、受信側はターゲットデータパケットに対応するターゲットデータパケットの伝送シーケンス番号をフィードバック情報に含ませて、送信側がターゲットデータパケットに対応する伝送パターン及び／又はターゲットデータパケットの伝送シーケンス番号に基づき、後続のデータ伝送のための伝送パターンを調整することができるように、受信側はターゲットデータパケットに対応する伝送パターン及び／又はターゲットデータパケットの伝送シーケンス番号をフィードバック情報に含ませる。
【００１５】
第一の態様又は上記のいずれかの可能な実施形態と組み合わせ、第一の態様の一つの可能な実施形態では、前記ターゲットデータパケットは、前記受信側に正確に受信されていないデータパケット、前記受信側に正確に受信されたデータパケット、前記複数のデータパケットを伝送するための少なくとも一つのチャネルのうちのチャネル品質が最も良いチャネルで伝送されたデータパケット、前記複数のデータパケットを伝送するための少なくとも一つのチャネルのうちのチャネル品質が最も悪いチャネルで伝送されたデータパケット、前記複数のデータパケットのうちの誤り検出率が最も低いデータパケット、前記複数のデータパケットのうちの誤り検出率が最も高いデータパケットのいずれか一つのデータパケットを含む。
【００１６】
本解決策では、送信側がターゲットデータパケットに対応する伝送パターン及び／又はターゲットデータパケットの伝送シーケンス番号に基づき、後続のデータ伝送のための伝送パターンを調整することができるように、受信側は、ターゲットデータパケットに対応する伝送パターン及び／又はターゲットデータパケットの伝送シーケンス番号をフィードバック情報に含ませる。
【００１７】
第一の態様又は上記のいずれかの可能な実施形態と組み合わせ、第一の態様の一つの可能な実施形態では、前記伝送パターンは、ハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報から構成される。
【００１８】
本解決策では、伝送パターンが少なくとも一つの伝送情報を含むことができるので、データ伝送メカニズムはより多様化になる。
【００１９】
第一の態様又は上記のいずれかの可能な実施形態と組み合わせ、第一の態様の一つの可能な実施形態では、前記複数のデータパケットの各々に対応する伝送パターンは前記送信側と前記受信側とによって予め定められたものであり、又は前記複数のデータパケットの各々に対応する伝送パターンは前記送信側がシグナリングによって前記受信側に送信したものである。
【００２０】
本解決策では、送信側と受信側が予め定められた伝送パターン、又はシグナリングインタラクションにより伝送パターンを取得することができるので、送信側と受信側が伝送パターンを取得する方式はより柔軟になる。
【００２１】
第一の態様又は上記のいずれかの可能な実施形態と組み合わせ、第一の態様の一つの可能な実施形態では、前記フィードバック情報は前記受信側が前記送信側から送信された前記複数のデータパケットのうちの指定されたデータパケットを正確に受信したか否かを示すための指示情報を含み、前記指定されたデータパケットが前記フィードバック情報とプリセット時間シーケンス関係を有するデータパケットである。
【００２２】
本解決策では、フィードバック情報は該フィードバック情報とプリセット時間シーケンス関係を有するデータパケットが受信側によって正確に受信されたか否かを示すことに用いられるので、本解決策におけるデータ伝送メカニズムはより柔軟になる。
【００２３】
第一の態様又は上記のいずれかの可能な実施形態と組み合わせ、第一の態様の一つの可能な実施形態では、前記プリセット時間シーケンス関係は前記送信側と前記受信側とによって予め定められた時間シーケンス関係であり、又は前記プリセット時間シーケンス関係は前記送信側がシグナリングによって前記受信側に送信したものである。
【００２４】
本発明の解決策では、送信側と受信側は予め定められたプリセット時間シーケンス関係又はシグナリングインタラクションによりプリセット時間シーケンス関係を取得することができ、これにより送信側と受信側がプリセット時間シーケンス関係を取得する方式はより柔軟になる。
【００２５】
第一の態様又は上記のいずれかの可能な実施形態と組み合わせ、第一の態様の一つの可能な実施形態では、前記フィードバック情報は、前記受信側が前記複数のデータパケットのうちのいずれか一つのデータパケットである第一のデータパケットを正確に受信したか否かを示すための指示情報、前記受信側が前記複数のデータパケットのうちの少なくとも２つのデータパケットを正確に受信したか否かを示すための指示情報、前記受信側が前記複数のデータパケットに含まれる情報を正確に受信したか否かを示すための指示情報のいずれか一つを含む。
【００２６】
本解決策では、受信側は送信側へ異なるタイプのフィードバック情報を送信し、データ伝送メカニズムの柔軟性を向上させることができる。
【００２７】
第一の態様又は上記のいずれかの可能な実施形態と組み合わせ、第一の態様の一つの可能な実施形態では、前記送信側が前記フィードバック情報に基づいて後続のデータを伝送することは、前記フィードバック情報が確認ＡＣＫ情報である場合、前記送信側が前記複数のデータパケットに含まれる情報と同じデータパケットの送信を停止することと、前記フィードバック情報が否定ＮＡＣＫ情報である場合、前記送信側が前記複数のデータパケットに含まれる情報と同じデータパケットを伝送することとを含む。
【００２８】
本解決策では、送信側がタイムリーにフィードバック情報に基づいて後続のデータ伝送状況を調整することができるように、受信側は送信側へフィードバック情報を送信することができる。
【００２９】
第一の態様又は上記のいずれかの可能な実施形態と組み合わせ、第一の態様の一つの可能な実施形態では、前記フィードバック情報がＮＡＣＫ情報である場合、前記送信側が前記複数のデータパケットに含まれる情報と同じデータパケットを再伝送することは、前記送信側が前記複数のデータパケットを送信する回数が予め設定された送信回数より多い場合、前記送信側が前記複数のデータパケットに含まれる情報と同じデータパケットの送信を停止することを含む。
【００３０】
本解決策では、送信側が複数のデータパケットを送信する回数が予め設定された送信回数より多い場合、送信側は複数のデータパケットに含まれる情報と同じデータパケットの送信を停止し、データ伝送のオーバーヘッドを節約する。
【００３１】
第一の態様又は上記のいずれかの可能な実施形態と組み合わせ、第一の態様の一つの可能な実施形態では、前記送信側が前記受信側へ同じ情報を含む複数のデータパケットを連続的に送信する前に、前記方法はさらに、前記送信側が、前記複数のデータパケットを受信するように前記受信側に指示するためのスケジューリングシグナリングを前記受信側に送信すること、又は前記送信側が、前記複数のデータパケットと一対一で対応する複数のスケジューリングシグナリングを前記受信側に送信し、前記複数のスケジューリングシグナリングの各々が前記各スケジューリングシグナリングに対応するデータパケットを受信するように前記受信側に指示することに用いられることを含む。
【００３２】
本解決策では、受信側のスケジューリング方式はデータ伝送メカニズムの柔軟性を向上させるために多様化される。
【００３３】
第一の態様又は上記のいずれかの可能な実施形態と組み合わせ、第一の態様の一つの可能な実施形態では、前記送信側が基地局である場合、前記送信側が前記受信側へ同じ情報を含む複数のデータパケットを連続的に送信する前に、前記方法はさらに、前記送信側が、前記複数のデータパケットを受信するように前記受信側に指示するためのダウンリンク制御シグナリングＤＣＩを前記受信側に送信すること、又は前記送信側が前記受信側へ複数のＤＣＩを送信し、前記ＤＣＩが前記複数のデータパケットと一対一で対応し、前記ＤＣＩのうちのＤＣＩが前記各スケジューリングシグナリングに対応するデータパケットを受信するように前記受信側に指示することに用いられることを含む。
【００３４】
本解決策では、受信側のスケジューリング方式は、データ伝送メカニズムの柔軟性を向上させるために多様化される。
【００３５】
第二の態様では、本出願によるデータ伝送方法は、受信側が送信側によって連続的に送信された、同じ情報を含む複数のデータパケットを受信し、前記フィードバック情報が前記受信側が前記複数のデータパケットのうちの少なくとも部分のデータパケットを正確に受信したか否かを示すための指示情報を含むことと、前記受信側が前記複数のデータパケットのうちの少なくとも部分のデータパケットを検出し、前記少なくとも部分のデータパケットの検出結果を確定することと、前記受信側が前記少なくとも部分のデータパケットの検出結果に基づき、前記少なくとも部分のデータパケットの前記フィードバック情報を確定し、前記フィードバック情報が前記受信側が前記複数のデータパケットのうちの少なくとも部分のデータパケットを正確に受信したか否かを示すための指示情報を含むことと、前記受信側が前記送信側へ前記フィードバック情報を送信することとを含む。
【００３６】
該解決策では、送信側は、受信側から送信されたフィードバック情報を受信するまで受信側へ同じ情報を含む複数のデータパケットを連続的に送信することができ、送信側はフィードバック情報に基づいて後続のデータ伝送を確定する。このデータ伝送メカニズムでは、送信側がずっと受信側へ同じ情報を含むデータパケットを送信するので、データ伝送の信頼性を向上させることができる。
【００３７】
同時に、上記データ伝送メカニズムでは、受信側がデータパケットのデータ検出及びフィードバック情報の送信を行う期間内で、送信側はずっと受信側へ同じ情報を含む複数のデータパケットを送信することができ、これによりデータ伝送遅延を短縮することができる。例えば、受信側が１番目のデータパケットが正確に受信できていない場合、後続の同じ情報を含むデータパケットが既に送信側によって受信側に送信されたので、受信側は後続の同じ情報を含むデータパケットを直ちに再検出することができ、従来のデータ伝送メカニズムのように、受信側が送信側へフィードバック情報を送信した後、受信側が送信側が同じ情報を含むデータパケットを再送することを待つ必要がない。
【００３８】
第二の態様と組み合わせ、第二の態様の一つの可能な実施形態では、前記受信側が前記送信側によって連続的に送信された、同じ情報を含む複数のデータパケットを受信することは、前記受信側が前記複数のデータパケットの各々に対応する伝送パターンに基づき、前記送信側によって連続的に送信された、同じ情報を含む複数のデータパケットを受信することを含む。
【００３９】
本解決策では、同じ情報を含む複数のデータパケットの各々がそれぞれ一つの伝送パターンに対応することができるので、送信側が複数のデータパケットを伝送する方式はより柔軟になる。
【００４０】
第二の態様又は上記のいずれかの可能な実施形態と組み合わせ、第二の態様の一つの可能な実施形態では、前記受信側が送信側によって連続的に送信された、同じ情報を含む複数のデータパケットを受信することは、前記受信側が少なくとも２つの伝送パターンに基づいて前記送信側から送信された同じ情報を含む前記複数のデータパケットを受信することを含む。
【００４１】
本解決策では、送信側は異なる伝送パターンに基づいて受信側へ同じ情報を含む複数のデータパケットを送信することができ、伝送パターンの多様化によりデータパケット伝送方式の多様化をさらに図って、受信側がデータパケットを正確に受信する確率を向上させることができる。
【００４２】
第二の態様又は上記のいずれかの可能な実施形態と組み合わせ、第二の態様の一つの可能な実施形態では、前記受信側が前記送信側へ前記フィードバック情報を送信することは、前記受信側が前記送信側へ前記フィードバック情報を送信することを含み、前記フィードバック情報が前記複数のデータパケットのうちのターゲットデータパケットに対応する伝送パターン及び／又は前記ターゲットデータパケットの伝送シーケンス番号を示すための情報を含む。
【００４３】
本解決策では、送信側が受信側がターゲットデータパケットを正確に受信したか否かを確定することができるように、受信側は、ターゲットデータパケットに対応するターゲットデータパケットの伝送シーケンス番号をフィードバック情報に含ませて、送信側がターゲットデータパケットに対応する伝送パターン及び／又はターゲットデータパケットの伝送シーケンス番号に基づき、後続のデータ伝送のための伝送パターンを調整することができるように、受信側はターゲットデータパケットに対応する伝送パターン及び／又はターゲットデータパケットの伝送シーケンス番号をフィードバック情報に含ませる。
【００４４】
第二の態様又は上記のいずれかの可能な実施形態と組み合わせ、第二の態様の一つの可能な実施形態では、前記ターゲットデータパケットは、前記受信側に正確に受信されていないデータパケット、前記受信側に正確に受信されたデータパケット、前記複数のデータパケットを伝送するための少なくとも一つのチャネルのうちのチャネル品質が最も良いチャネルで伝送されたデータパケット、前記複数のデータパケットを伝送するための少なくとも一つのチャネルのうちのチャネル品質が最も悪いチャネルで伝送されたデータパケット、前記複数のデータパケットのうちの誤り検出率が最も低いデータパケット、前記複数のデータパケットのうちの誤り検出率が最も高いデータパケットのいずれか一つのデータパケットを含む。
【００４５】
本解決策では、送信側がターゲットデータパケットに対応する伝送パターン及び／又はターゲットデータパケットの伝送シーケンス番号に基づき、後続のデータ伝送のための伝送パターンを調整することができるように、受信側は、ターゲットデータパケットに対応する伝送パターン及び／又はターゲットデータパケットの伝送シーケンス番号をフィードバック情報に含ませる。
【００４６】
第二の態様又は上記のいずれかの可能な実施形態と組み合わせ、第二の態様の一つの可能な実施形態では、前記複数のデータパケットの各々に対応する伝送パターンは前記送信側と前記受信側とによって予め定められたものであり、又は前記複数のデータパケットの各々に対応する伝送パターンは前記送信側がシグナリングによって前記受信側に送信されたものである。
【００４７】
第二の態様又は上記のいずれかの可能な実施形態と組み合わせ、第二の態様の一つの可能な実施形態では、前記伝送パターンは、ハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報から構成される。
【００４８】
本解決策では、伝送パターンが少なくとも一つの伝送情報を含むことができるので、データ伝送メカニズムはより多様化になる。
【００４９】
第二の態様又は上記のいずれかの可能な実施形態と組み合わせ、第二の態様の一つの可能な実施形態では、前記複数のデータパケットの各々に対応する伝送パターンは前記送信側と前記受信側とによって予め定められたものであり、又は前記複数のデータパケットの各々に対応する伝送パターンは前記送信側がシグナリングによって前記受信側に送信したものである。
【００５０】
本解決策では、送信側と受信側が予め定められた伝送パターン、又はシグナリングインタラクションにより伝送パターンを取得することができるので、送信側と受信側が伝送パターンを取得する方式はより柔軟になる。
【００５１】
第二の態様又は上記のいずれかの可能な実施形態と組み合わせ、第二の態様の一つの可能な実施形態では、前記受信側が前記送信側へ前記フィードバック情報を送信することは、前記受信側が前記送信側へ前記フィードバック情報を送信することを含み、前記フィードバック情報が前記受信側が前記送信側から送信された前記複数のデータパケットのうちの指定されたデータパケットを正確に受信したか否かを示すための指示情報を含み、前記指定されたデータパケットが前記フィードバック情報とプリセット時間シーケンス関係を有するデータパケットである。
【００５２】
本解決策では、フィードバック情報は該フィードバック情報とプリセット時間シーケンス関係を有するデータパケットが受信側によって正確に受信されたか否かを示すことに用いられるので、本解決策におけるデータ伝送メカニズムはより柔軟になる。
【００５３】
第二の態様又は上記のいずれかの可能な実施形態と組み合わせ、第二の態様の一つの可能な実施形態では、前記プリセット時間シーケンス関係は前記送信側と前記受信側とによって予め定められた時間シーケンス関係であり、又は前記プリセット時間シーケンス関係は前記送信側がシグナリングによって前記受信側に送信したものである。
【００５４】
本解決策では、送信側と受信側は予め定められたプリセット時間シーケンス関係又はシグナリングインタラクションによりプリセット時間シーケンス関係を取得することができ、これにより送信側と受信側がプリセット時間シーケンス関係を取得する方式はより柔軟になる。
【００５５】
第二の態様又は上記のいずれかの可能な実施形態と組み合わせ、第二の態様の一つの可能な実施形態では、前記フィードバック情報は、前記受信側が前記複数のデータパケットのうちのいずれか一つのデータパケットである第一のデータパケットを正確に受信したか否かを示すための指示情報、前記受信側が前記複数のデータパケットのうちの少なくとも２つのデータパケットを正確に受信したか否かを示すための指示情報、前記受信側が前記複数のデータパケットに含まれる情報を正確に受信したか否かを示すための指示情報のいずれか一つを含む。
【００５６】
本解決策では、受信側は送信側へ異なるタイプのフィードバック情報を送信し、データ伝送メカニズムの柔軟性を向上させることができる。
【００５７】
第二の態様又は上記のいずれかの可能な実施形態と組み合わせ、第二の態様の一つの可能な実施形態では、前記受信側が前記送信側へ前記フィードバック情報を送信することは、前記受信側が前記送信側へ確認ＡＣＫ情報を含む前記フィードバック情報を送信することと、前記受信側が前記送信側へ否定ＮＡＣＫ情報を含む前記フィードバック情報を送信することとを含む。
【００５８】
第二の態様又は上記のいずれかの可能な実施形態と組み合わせ、第二の態様の一つの可能な実施形態では、前記受信側が送信側によって連続的に送信された、同じ情報を含む複数のデータパケットを受信する前に、前記方法はさらに、前記受信側が前記送信側から送信されたスケジューリングシグナリングを受信し、前記スケジューリングシグナリングが前記送信側から送信された前記複数のデータパケットを受信するように前記受信側に指示することに用いられること、又は、前記受信側が前記複数のデータパケットと一対一で対応する複数のスケジューリングシグナリングを受信し、前記複数のスケジューリングシグナリングの各々が前記各スケジューリングシグナリングに対応するデータパケットを受信するように前記受信側に指示することに用いられることを含む。
【００５９】
本解決策では、受信側のスケジューリング方式は、データ伝送メカニズムの柔軟性を向上させるために多様化される。
【００６０】
第二の態様又は上記のいずれかの可能な実施形態と組み合わせ、第二の態様の一つの可能な実施形態では、前記受信側が前記複数のデータパケットのうちの少なくとも部分のデータパケットを検出することは、前記受信側が前記複数のデータパケットの各々を検出すること、又は前記受信側が前記複数のデータパケットのうちの少なくとも２つのデータパケットに対して併せて検出を行うことを含む。
【００６１】
本解決策では、受信側は送信側から送信された複数のデータパケットを個別に検出し、又は複数のデータパケットのうちの少なくとも部分に対して併せて検出を行うことができ、これにより、受信側がデータパケットを検出する方式はデータパケット検出の柔軟性を向上させるために多様化される。
【００６２】
第二の態様又は上記のいずれかの可能な実施形態と組み合わせ、第二の態様の一つの可能な実施形態では、前記受信側が送信側によって連続的に送信された、同じ情報を含む複数のデータパケットを受信する前に、前記方法はさらに、前記受信側がダウンリンク制御シグナリングＤＣＩを受信し、前記ＤＣＩが前記送信側から送信された前記複数のデータパケットを受信するように前記受信側に指示することに用いられること、又は、前記受信側が前記複数のデータパケットと一対一で対応する複数のＤＣＩを受信し、前記複数のＤＣＩの各々が前記各ＤＣＩに対応するデータパケットを受信するように前記受信側に指示することに用いられることを含む。
【００６３】
本解決策では、受信側のスケジューリング方式は、データ伝送メカニズムの柔軟性を向上させるために多様化される。
【００６４】
第二の態様又は上記のいずれかの可能な実施形態と組み合わせ、第二の態様の一つの可能な実施形態では、前記フィードバック情報は前記受信側が前記複数のデータパケットのうちのいずれか一つのデータパケットを正確に受信したか否かを示すことに用いられ、又は前記フィードバック情報は前記受信側が前記複数のデータパケットのうちの少なくとも２つのデータパケットを正確に受信したか否かを示すことに用いられる。
【００６５】
本解決策では、受信側は送信側へ異なるタイプのフィードバック情報を送信し、データ伝送メカニズムの柔軟性を向上させることができる。
【００６６】
第二の態様又は上記のいずれかの可能な実施形態と組み合わせ、第二の態様の一つの可能な実施形態では、前記フィードバック情報は前記受信側が前記複数のデータパケットに含まれる情報を正確に受信したか否かを示すことに用いられる。
【００６７】
本解決策では、送信側がタイムリーにフィードバック情報に基づいて後続のデータ伝送状況を調整することができるように、受信側は、送信側へフィードバック情報を送信することができる。
【００６８】
第二の態様又は上記のいずれかの可能な実施形態と組み合わせ、第二の態様の一つの可能な実施形態では、前記フィードバック情報は前記複数のデータパケットのうちのターゲットデータパケットに対応する伝送パターン及び／又は前記ターゲットデータパケットの伝送シーケンス番号を含む。
【００６９】
本解決策では、送信側が受信側がターゲットデータパケットを正確に受信したか否かを確定することができるように、受信側はターゲットデータパケットに対応する伝送パターン及び／又はターゲットデータパケットの伝送シーケンス番号をフィードバック情報に含ませる。
【００７０】
第二の態様又は上記のいずれかの可能な実施形態と組み合わせ、第二の態様の一つの可能な実施形態では、前記方法はさらに、前記受信側が前記送信側から送信された伝送パターンの指示情報を受信し、前記伝送パターンの指示情報が前記送信側が後続のデータパケットを伝送するための伝送パターンを示すことに用いられ、後続のデータパケットを伝送するための前記伝送パラメータが前記送信側によって前記複数のデータパケットのうちのターゲットデータパケットに対応する伝送パターンに基づいて確定されることと、前記受信側が、前記送信側が後続のデータパケットを伝送するための伝送パターンで伝送する後続のデータパケットを受信することとを含む。
【００７１】
第二の態様又は上記のいずれかの可能な実施形態と組み合わせ、第二の態様の一つの可能な実施形態では、前記ターゲットデータパケットは、
前記受信側に正確に受信されていないデータパケット、前記受信側に正確に受信されたデータパケット、前記複数のデータパケットを伝送するための少なくとも一つのチャネルのうちのチャネル品質が最も良いチャネルで伝送されたデータパケット、前記複数のデータパケットを伝送するための少なくとも一つのチャネルのうちのチャネル品質が最も悪いチャネルで伝送されたデータパケット、前記複数のデータパケットのうちの誤り検出率が最も低いデータパケット、前記複数のデータパケットのうちの誤り検出率が最も高いデータパケットのいずれか一つのデータパケットを含む。
【００７２】
本解決策では、送信側がターゲットデータパケットに対応する伝送パターン及び／又はターゲットデータパケットの伝送シーケンス番号に基づき、後続のデータ伝送のための伝送パターンを調整することができるように、受信側は、ターゲットデータパケットに対応する伝送パターン及び／又はターゲットデータパケットの伝送シーケンス番号をフィードバック情報に含ませる。
【００７３】
第二の態様又は上記のいずれかの可能な実施形態と組み合わせ、第二の態様の一つの可能な実施形態では、前記受信側が前記送信側へフィードバック情報を送信することは、前記受信側が前記送信側へ確認ＡＣＫ情報である前記フィードバック情報を送信し、前記端末装置に前記複数のデータパケットに含まれる情報と同じデータパケットの送信を停止させることと、前記受信側が前記送信側へ否定ＮＡＣＫ情報であるフィードバック情報を送信し、前記送信側に前記複数のデータパケットに含まれる情報と同じデータパケットを再伝送させることとを含む。
【００７４】
本解決策では、送信側がタイムリーにフィードバック情報に基づいて後続のデータ伝送状況を調整することができるように、受信側は、送信側へフィードバック情報を送信することができる。
【００７５】
第二の態様又は上記のいずれかの可能な実施形態と組み合わせ、第二の態様の一つの可能な実施形態では、前記伝送パターンは、ハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報から構成される。
【００７６】
第三の態様では、本出願によるデータ伝送装置は第一の態様における方法を実行するためのモジュールを備える。
【００７７】
第四の態様では、本出願によるデータ伝送装置は第二の態様における方法を実行するためのモジュールを備える。
【００７８】
第五の態様では、本出願によるデータ伝送装置は、メモリ、プロセッサ、入力／出力インタフェース、通信インタフェースとバスシステムを備える。ここで、メモリ、プロセッサ、入力／出力インタフェースと通信インタフェースはバスシステムを介して接続し、該メモリは命令を記憶するように構成され、該プロセッサは該メモリに記憶された命令を実行するように構成され、前記命令が実行される場合、前記プロセッサは前記通信インタフェースを介して第一の態様の方法を実行し、且つ入力されたデータ及び情報を受信し、操作結果などのデータを出力するように入力／出力インタフェースを制御する。
【００７９】
第六の態様では、本出願によるデータ伝送装置は、メモリ、プロセッサ、入力／出力インタフェース、通信インタフェースとバスシステムを備える。ここで、メモリ、プロセッサ、入力／出力インタフェースと通信インタフェースはバスシステムを介して接続し、該メモリは命令を記憶するように構成され、該プロセッサは該メモリに記憶された命令を実行するように構成され、前記命令が実行される場合、前記プロセッサは前記通信インタフェースを介して第二の態様の方法を実行し、且つ入力されたデータ及び情報を受信し、操作結果などのデータを出力するように入力／出力インタフェースを制御する。
【００８０】
第七の態様では、本出願によるコンピュータ可読記憶媒体は、検索リクエストを送信する方法のプログラムコードを記憶し、前記プログラムコードが第一の態様における方法の命令を実行することに用いられる。
【００８１】
第八の態様では、本出願によるコンピュータ可読記憶媒体は、検索リクエストを送信する方法のプログラムコードを記憶し、前記プログラムコードが第二の態様における方法の命令を実行することに用いられる。
【００８２】
いくつかの実施形態では、上記プリセット時間シーケンス関係は受信側が送信側へフィードバック情報を送信する時点と受信側が指定されたデータパケットを受信する時点の間の固定期間であってもよい。
【００８３】
いくつかの実施形態では、上記フィードバック情報は、受信側が複数のデータパケットのうちの少なくとも部分のデータパケットを正確に受信したか否かを示すことに用いられる。
【００８４】
いくつかの実施形態では、上記の同じ情報を含む複数のデータパケットは内容が同じである複数のデータパケットであってもよい。
【００８５】
いくつかの実施形態では、上記ターゲットデータパケットの伝送情報はターゲットデータパケットの伝送パターンを示すことに用いられてもよい。
【００８６】
本出願に使用される送信側が受信側から送信されたフィードバック情報を受信するまで受信側へ同じ情報を含む複数のデータパケットを連続的に送信し、フィードバック情報に基づいて後続のデータ伝送を確定するというデータ伝送メカニズムにより、データ伝送の信頼性を向上させることができる。
【図面の簡単な説明】
【００８７】
【図１】本発明の実施例によるデータ伝送方法の概略フローチャートである。
【図２】本発明の他の実施例によるデータ伝送方法の概略フローチャートである。
【図３】本発明の他の実施例によるデータ伝送方法の概略フローチャートである。
【図４】本発明の他の実施例によるＴＤＤでアップリンク及びダウンリンクデータ伝送を行うことを示す図である。
【図５】本発明の他の実施例によるＴＤＤでアップリンク及びダウンリンクデータ伝送を行うことを示す図である。
【図６】本発明の他の実施例によるＦＤＤでアップリンク及びダウンリンクデータ伝送を行うことを示す図である。
【図７】本発明の実施例によるデータ伝送装置の概略ブロック図である。
【図８】本発明の他の実施例によるデータ伝送装置の概略ブロック図である。
【図９】本発明の他の実施例によるデータ伝送装置の概略ブロック図である。
【図１０】本発明の他の実施例によるデータ伝送装置の概略ブロック図である。
【発明を実施するための形態】
【００８８】
本出願の実施例の技術的解決策をより明確に説明するために、以下に本出願の実施例に必要な図面を簡単に説明し、明らかに、以下に記載される図面は本出願のいくつかの実施例に過ぎず、当業者であれば、創造的な労力を要することなく、これらの図面に基づいて他の図面を得ることができる。
【００８９】
以下に本発明の実施例の図面を組み合わせながら、本発明の実施例に係る技術的解決策を明確で、全面的に説明し、明らかに、説明した実施例は本発明の一部の実施例に過ぎず、全ての実施例ではない。本発明の実施例に基づき、当業者が創造的な労力を要せずに得た他の実施例は、全て本発明の保護範囲に属する。
【００９０】
理解すべきものとして、本発明の技術的解決策は、様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システムなどに適用されてもよい。
【００９１】
また、理解すべきものとして、ユーザ装置（Ｕｓｅｒ  Ｅｑｕｉｐｍｅｎｔ：「ＵＥ」と略称）は移動端末装置（Ｍｏｂｉｌｅ  Ｔｅｒｍｉｎａｌ）、移動ユーザ装置などと呼ばれてもよく、無線アクセスネットワーク（例えば、Ｒａｄｉｏ  Ａｃｃｅｓｓ  Ｎｅｔｗｏｒｋ：「ＲＡＮ」と略称）を介して一つ又は複数のコアネットワークと通信することができ、ユーザ装置は移動端末、例えば携帯電話（又は「セルラー」電話）と移動端末装置を備えるコンピュータであってもよく、例えばポータブル、ポケット、ハンドヘルド、コンピュータ一内蔵又は車載モバイルデバイスであってもよく、それらが無線アクセスネットワークと言語及び／又はデータを交換する。
【００９２】
基地局はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡにおける基地局（Ｎｏｄｅ  Ｂ）であってもよいし、ＬＴＥにおける進化型基地局（ｅｖｏｌｕｔｉｏｎａｌ  Ｎｏｄｅ  Ｂ：ｅＮＢ又はｅ−ＮｏｄｅＢ）であってもよく、本発明はこれに限定されず、容易に説明するために、次の実施例はＮｏｄｅ  Ｂを例として説明する。
【００９３】
図１は本発明の実施例によるデータ伝送方法の概略フローチャートである。図１に示す方法は、１１０〜１３０を含む。
【００９４】
１１０において、送信側がフィードバック情報を受信する前に、前記送信側が前記受信側へ同じ情報を含む複数のデータパケットを連続的に送信し、前記フィードバック情報が前記受信側が前記複数のデータパケットの少なくとも部分のデータパケットを正確に受信したか否かを示すための指示情報を含む。
【００９５】
１２０において、前記送信側が前記受信側から送信された前記フィードバック情報を受信する。
【００９６】
１３０において、前記送信側が前記フィードバック情報に基づいて後続のデータを伝送する。
【００９７】
具体的には、送信側は、受信側から送信されたフィードバック情報を受信するまで受信側へ内容が同じ複数のデータパケットを連続的に送信することができ、該送信側が該フィードバック情報に基づいて後続のデータを伝送する。
【００９８】
理解すべきものとして、上記送信側はネットワーク側装置又は端末装置であってもよく、上記受信側はネットワーク側装置又は端末装置であってもよく、即ち、上記送信側と受信側はデバイスツーデバイス（Ｄ２Ｄ：Ｄｅｖｉｃｅ−ｔｏ−Ｄｅｖｉｃｅ）通信システムに適用されてもよく、上記送信側と受信側はさらにセルラー通信システムに適用されてもよく、本発明はこれに具体的に限定されない。
【００９９】
該解決策では、送信側は、受信側から送信されたフィードバック情報を受信するまで受信側へ同じ情報を含む複数のデータパケットを連続的に送信することができ、送信側はフィードバック情報に基づいて後続のデータ伝送を確定する。このようなデータ伝送メカニズムでは、送信側がずっと受信側へ同じ情報を含むデータパケットを送信するので、データ伝送の信頼性を向上させることができる。
【０１００】
同時に、上記データ伝送メカニズムでは、受信側がデータパケットのデータ検出及びフィードバック情報の送信を行う期間内で、送信側はずっと受信側へ同じ情報を含む複数のデータパケットを送信することができ、これによりデータ伝送遅延を短縮することができる。例えば、受信側が１番目のデータパケットが正確に受信できていない場合、後続の同じ情報を含むデータパケットが既に送信側によって受信側に送信されたので、受信側は後続の同じ情報を含むデータパケットを直ちに再検出することができ、従来のデータ伝送メカニズムのように、受信側が送信側へフィードバック情報を送信した後、受信側が送信側が同じ情報を含むデータパケットを再送することを待つ必要がない。
【０１０１】
選択可能に、一つの実施例として、前記送信側が前記受信側へ同じ情報を含む複数のデータパケットを連続的に送信することは、前記送信側が前記複数のデータパケットの各々に対応する伝送パターンに基づき、前記受信側へ前記複数のデータパケットを連続的に送信することを含む。
【０１０２】
具体的には、複数のデータパケットの各々がそれぞれ一つの伝送パターンに対応することができ、複数のデータパケットの各々に対応する伝送パターンが同じであってもよく、異なってもよい。
【０１０３】
本解決策では、同じ情報を含む複数のデータパケットの各々がそれぞれ一つの伝送パターンに対応することができるので、送信側が複数のデータパケットを伝送する方式はより柔軟になる。
【０１０４】
選択可能に、一つの実施例として、前記送信側が受信側へ同じ情報を含む複数のデータパケットを連続的に送信することは、前記送信側が少なくとも２つの伝送パターンに基づいて前記受信側へ同じ情報を含む前記複数のデータパケットを送信することを含む。
【０１０５】
具体的には、送信側は受信側へ複数のデータパケットを送信する際に、異なる伝送パターンに基づいて複数のデータパケットを送信することができる。
【０１０６】
例えば、送信側は２つの異なる伝送パターン（伝送パターン１及び伝送パターン２を例とする）に基づいて受信側へ同じ情報を含む３つのデータパケットを送信し、１番目のデータパケットを伝送するのに伝送パターン１が使用でき、２番目のデータパケットを伝送するのに伝送パターン２が使用でき、３番目のデータパケットを伝送するのに伝送パターン１が使用でき、又は１番目のデータパケットと３番目のデータパケットを伝送するのに伝送パターン１が使用でき、２番目のデータパケットを伝送するのに伝送パターン２が使用できる。
【０１０７】
理解すべきものとして、上記送信側が２つの異なる伝送パターン（伝送パターン１及び伝送パターン２を例とする）に基づいて受信側へ同じ情報を含む３つのデータパケットを送信することを例とし、本発明は複数のデータパケットを伝送するための伝送パターンの順序組み合わせを具体的に限定しない。
【０１０８】
本解決策では、送信側は異なる伝送パターンに基づいて受信側へ同じ情報を含む複数のデータパケットを送信することができ、伝送パターンの多様化によりデータパケット伝送方式の多様化をさらに図って、受信側がデータパケットを正確に受信する確率を向上させることができる。
【０１０９】
図２は本発明の実施例によるデータ伝送方法の概略フローチャートである。図２に示す方法は、２１０〜２４０を含む。
【０１１０】
２１０において、受信側は送信側によって連続的に送信された、同じ情報を含む複数のデータパケットを受信する。
【０１１１】
２２０において、前記受信側が前記複数のデータパケットのうちの少なくとも部分のデータパケットを検出し、前記少なくとも部分のデータパケットの検出結果を確定する。
【０１１２】
２３０において、前記受信側が前記少なくとも部分のデータパケットの検出結果に基づき、前記少なくとも部分のデータパケットの前記フィードバック情報を確定し、前記フィードバック情報が前記受信側が前記複数のデータパケットのうちの少なくとも部分のデータパケットを正確に受信したか否かを示すための指示情報を含む。
【０１１３】
２４０において、前記受信側が前記送信側へ前記フィードバック情報を送信する。
【０１１４】
具体的には、受信側は送信側によって連続的に送信された内容が同じ複数のデータパケットを受信し、且つ複数のデータパケットのうちの少なくとも部分のデータパケットを検出し、少なくとも部分のデータパケットの検出結果を確定し、該検出結果に基づいて送信側へフィードバック情報を送信し、受信側が該複数のデータパケットに含まれる情報を正確に受信したか否かを送信側に通知することができる。
【０１１５】
説明すべきものとして、受信側によるデータパケットの受信と受信側による受信されたデータパケットの検出が２つの比較的独立したプロセスであってもよく、即ち受信側は受信された複数のデータパケットのうちの全てのデータパケットを検出しなくてもよい。
【０１１６】
受信側が送信側へ複数のデータパケットのうちのいずれか一つのデータパケットの、ＡＣＫ情報を含むＡＣＫ情報を送信した場合、受信側は、送信側が該ＡＣＫ情報を受信していない期間内で送信した、複数のデータパケットの内容と同じデータパケットを検出することができる。
【０１１７】
例えば、送信側は受信側へ同じ情報を含む３つのデータパケットを連続的に送信し、受信側は３つのデータパケットのうちの２番目のデータパケットに対して送信側へＡＣＫ情報を含むフィードバック情報を送信し、受信側がフィードバック情報を送信する際に遅延が存在するため、この時に送信側は既に受信側へ３番目のデータパケットを送信した可能性があり、受信側は３番目のデータパケットを受信し、３番目のデータパケットを検出することができ（例えば、受信側は３番目のデータパケットに対応する伝送パターンにより伝送された３番目のデータパケットの伝送効果を取得する必要がある）、受信側は３番目のデータパケットを受信しただけで、該３番目のデータパケットを検出しなくてもよい。
【０１１８】
理解すべきものとして、上記送信側はネットワーク側装置又は端末装置であってもよく、上記受信側はネットワーク側装置又は端末装置であってもよく、本発明はこれに具体的に限定されない。
【０１１９】
該解決策では、送信側は、受信側から送信されたフィードバック情報を受信するまで受信側へ同じ情報を含む複数のデータパケットを連続的に送信することができ、送信側はフィードバック情報に基づいて後続のデータ伝送を確定する。このデータ伝送メカニズムでは、送信側がずっと受信側へ同じ情報を含むデータパケットを送信するので、データ伝送の信頼性を向上させることができる。
【０１２０】
同時に、上記データ伝送メカニズムでは、受信側がデータパケットのデータ検出及びフィードバック情報の送信を行う期間内で、送信側はずっと受信側へ同じ情報を含む複数のデータパケットを送信することができ、これによりデータ伝送遅延を短縮することができる。例えば、受信側が１番目のデータパケットが正確に受信できていない場合、後続の同じ情報を含むデータパケットが既に送信側によって受信側に送信されたので、受信側は後続の同じ情報を含むデータパケットを直ちに再検出することができ、従来のデータ伝送メカニズムのように、受信側が送信側へフィードバック情報を送信した後、受信側が送信側が同じ情報を含むデータパケットを送信することを待つ必要がない。
【０１２１】
選択可能に、一つの実施例として、前記受信側が前記送信側によって連続的に送信された、同じ情報を含む複数のデータパケットを受信することは、前記受信側が前記複数のデータパケットの各々に対応する伝送パターンに基づき、前記送信側によって連続的に送信された、同じ情報を含む複数のデータパケットを受信することを含む。
【０１２２】
具体的には、受信側は送信側から送信された内容が同じ複数のデータパケットを受信し、各データパケットが一つの伝送パターンに対応することができる。
【０１２３】
本解決策では、同じ情報を含む複数のデータパケットの各々がそれぞれ一つの伝送パターンに対応することができるので、送信側が複数のデータパケットを伝送する方式はより柔軟になる。
【０１２４】
選択可能に、一つの実施例として、前記受信側が送信側によって連続的に送信された、同じ情報を含む複数のデータパケットを受信することは、前記受信側が少なくとも２つの伝送パターンに基づいて前記送信側から送信された同じ情報を含む前記複数のデータパケットを受信することを含む。
【０１２５】
具体的には、受信側は送信側から送信された複数のデータパケットを受信する際に、異なる伝送パターンに基づいて複数のデータパケットを受信することができる。
【０１２６】
例えば、受信側は２つの異なる伝送パターン（伝送パターン１及び伝送パターン２を例とする）に基づいて送信側から送信された、同じ情報を含む３つのデータパケットを受信し、受信側は伝送パターン１に基づいて１番目のデータパケットを受信することができ、受信側は伝送パターン２に基づいて２番目のデータパケットを受信することができ、受信側は伝送パターン２に基づいて３番目のデータパケットを受信することができる。
【０１２７】
理解すべきものとして、上記受信側が２つの異なる伝送パターン（伝送パターン１及び伝送パターン２を例とする）に基づいて送信側から送信された３つのデータパケットを受信することを例とし、本発明は複数のデータパケットを伝送するための伝送パターンの順序組み合わせを具体的に限定しない。
【０１２８】
本解決策では、受信側は異なる伝送パターンに基づいて送信側から送信された、同じ情報を含む複数のデータパケットを受信することができ、伝送パターンの多様化によりデータパケット伝送方式の多様化をさらに図って、受信側がデータパケットを正確に受信する確率を向上させることができる。
【０１２９】
選択可能に、一つの実施例として、前記受信側が前記複数のデータパケットのうちの少なくとも部分のデータパケットを検出することは、前記受信側が前記複数のデータパケットの各々を検出すること、又は前記受信側が前記複数のデータパケットのうちの少なくとも２つのデータパケットに対して併せて検出を行うことを含む。
【０１３０】
具体的には、受信側は送信側から送信された複数のデータパケットの各々を検出し、各データパケットの検出結果を確定してもよく、又は受信側は複数のデータパケットのうちの１グループのデータパケット（即ち少なくとも２つのデータパケット）に対して併せて検出を行い、１グループのデータパケットの一つの検出結果を確定することができる。
【０１３１】
理解すべきものとして、受信側は上記複数のデータパケットの各々を個別に検出してもよく、受信側は上記複数のデータパケットのうちの少なくとも部分に対して併せて検出を行ってもよく、本発明は受信側が複数のデータパケットを検出する方法を具体的に限定しない。
【０１３２】
本解決策では、受信側は送信側から送信された複数のデータパケットを個別に検出し、又は複数のデータパケットのうちの少なくとも部分に対して併せて検出を行うことができ、これにより、受信側がデータパケットを検出する方式はデータパケット検出の柔軟性を向上させるために多様化される。
【０１３３】
以下に具体的な方法のプロセスと組み合わせて本発明の実施例によるデータ伝送方法を詳細に説明する。図３は本発明の他の実施例によるデータ伝送方法の概略フローチャートである。理解すべきものして、図３にデータ伝送方法の詳細なステップ又は操作が示されるが、これらのステップ又は操作が例だけであり、本発明の実施例はさらに他の操作、又は図３における各操作の変形を実行することができる。また、図３における各ステップは図３に示す異なる順序に従って実行されてもよく、且つ図３における全ての操作を実行する必要がない可能性がある。以下に図３に示す方法のステップを具体的に説明する。
【０１３４】
３１０において、受信側はスケジューリングシグナリングを受信する。
【０１３５】
具体的には、送信側は、複数のデータパケットを受信するように受信側に指示するための一つのスケジューリングシグナリングを送信することができ、送信側はさらに受信側へ複数のスケジューリング情報を送信することができ、複数のスケジューリングシグナリングが複数のデータパケットと一対一で対応するので、複数のスケジューリングシグナリングの各々が各スケジューリングシグナリングに対応するデータパケットを受信するように受信側に指示することができる。
【０１３６】
例えば、送信側が基地局である場合、受信側は基地局から送信された一つのダウンリンク制御シグナリング（ＤＣＩ：Ｄｏｗｎｌｉｎｋ  Ｃｏｎｔｒｏｌ  Ｉｎｆｏｒｍａｔｉｏｎ）を受信することができ、該ＤＣＩが送信側から送信された複数のデータパケットを受信するように該受信側に指示することに用いられ、即ち、基地局は一つのＤＣＩによって受信側が複数のデータパケットを受信するようにスケジューリングすることができる。
【０１３７】
受信側が基地局から送信された複数のＤＣＩを受信することができ、複数のＤＣＩが複数のデータパケットと一対一で対応し、複数のＤＣＩの各々が各ＤＣＩに対応するデータパケットを受信するように受信側に指示することに用いられる。即ち、基地局は複数のＤＣＩによって受信側をスケジューリングして複数のデータパケットを受信することができ、各ＤＣＩが受信側をスケジューリングして該ＤＣＩに対応するデータパケットを受信することに用いられる。
【０１３８】
説明すべきものとして、送信側が基地局である場合、送信側によって受信側へＤＣＩを送信することができ、送信側が基地局ではない場合、基地局によって受信側へＤＣＩを送信することができ、即ち、Ｄ２Ｄ通信システムにおいて基地局が受信側（端末）へスケジューリング情報を送信する場合と類似している。
【０１３９】
３２０において、送信側は受信側へ同じ情報を含む複数のデータパケットを連続的に送信する。
【０１４０】
具体的には、送信側は、受信側から送信されたフィードバック情報を受信するまで受信側へ同じ情報を含む複数のデータパケットを連続的に送信する。
【０１４１】
同じ情報を含む上記の複数のデータパケットが、同じ情報を含む複数のデータパケットを指してもよく、即ち複数のデータパケットに含まれる宛先ＩＰアドレス、ソースＩＰアドレス、送信データそのものなどの情報ビットが同じである。
【０１４２】
理解すべきものとして、上記送信側はネットワーク側装置又は端末装置であってもよく、上記受信側はネットワーク側装置又は端末装置であってもよく、本発明はこれに具体的に限定されない。
【０１４３】
選択可能に、一つの実施例として、前記複数のデータパケットが各々に対応する伝送パターンを使用して伝送され、前記複数のデータパケットの各々に対応する伝送パターンは前記送信側と前記受信側とによって予め定められたものであり、又は前記複数のデータパケットの各々に対応する伝送パターンは前記送信側がシグナリングによって前記受信側に送信されたものである。
【０１４４】
具体的には、上記複数のデータパケットの各々に対応する伝送パターン（ｐａｔｔｅｒｎ）は前記送信側と前記受信側とによって予め定められたものであってもよい。例えば、複数のデータパケットを伝送するための時間周波数リソースは連続するサブフレーム上の固定周波数ホッピングパターンを使用する時間周波数リソースであってもよく、上記複数のデータパケットの各々に対応する伝送パターンは前記送信側がシグナリングによって前記受信側に送信したものであり、例えば、送信側は各データパケットに対応する伝送パターンを上位層シグナリング又はＤＣＩに含ませて受信側に送信することができる。
【０１４５】
理解すべきものとして、送信側は一つの伝送パターンに基づいて上記の複数のデータパケットを伝送することができ、送信側は複数の伝送パターンに基づいて上記複数のデータパケットを伝送することができ、本発明はこれに具体的に限定されない。
【０１４６】
選択可能に、一つの実施例として、前記送信側が受信側へ同じ情報を含む複数のデータパケットを連続的に送信することは、前記送信側が少なくとも２つの伝送パターンに基づいて前記受信側へ同じ情報を含む前記複数のデータパケットを送信することを含む。
【０１４７】
例えば、送信側は２つの異なる伝送パターン（伝送パターン１及び伝送パターン２を例とする）に基づいて受信側へ３つの同じデータパケットを送信し、１番目のデータパケットを伝送するのに伝送パターン１を使用でき、２番目のデータパケットを伝送するのに伝送パターン２を使用でき、３番目のデータパケットを伝送するのに伝送パターン１を使用でき、又は１番目のデータパケットと３番目のデータパケットを伝送するのに伝送パターン１を使用でき、２番目のデータパケットを伝送するのに伝送パターン２を使用できる。
【０１４８】
理解すべきものとして、上記送信側が２つの異なる伝送パターン（伝送パターン１及び伝送パターン２を例とする）に基づいて受信側へ同じ情報を含む３つのデータパケットを送信することを例とし、本発明は複数のデータパケットを伝送するための伝送パターンの順序組み合わせを具体的に限定しない。
【０１４９】
３２０において、受信側は送信側へフィードバック情報を送信する。
【０１５０】
選択可能に、一つの実施例として、前記フィードバック情報は前記受信側が前記複数のデータパケットのうちの第一のデータパケットを正確に受信するか否かを示すための指示情報を含み、前記第一のデータパケットが前記複数のデータパケットのうちのいずれか一つのデータパケットである。
【０１５１】
図４は本発明の他の実施例による時分割複信（ＴＤＤ：Ｔｉｍｅ  Ｄｉｖｉｓｉｏｎ  Ｄｕｐｌｅｘｉｎｇ）でアップリンク及びダウンリンクデータ伝送を行うことを示す図である。図４に示すＴＤＤでアップリンク及びダウンリンクデータ伝送を行うことを例としてデータ伝送方法を詳細に説明する。送信側は一つのデータパケットを伝送し、且つ該データパケットに対応するフィードバック情報を受信するために大きなフィードバック遅延を必要とすると仮定する。図４に示すように、送信側がダウンリンク（ＤＬ：Ｄｏｗｎ  Ｌｉｎｋ）を介して１番目のデータパケット（図４において送信側が１番目のデータパケット１を送信する時点）を送信するフィードバック情報は、Ｎ番目のデータパケット（図４において送信側がＮ番目のデータパケット１を送信する送信時間）の伝送時間の後に、受信される可能性がある（図４に示される送信側がＮＡＣＫメッセージを受信する時間を参照）。即ち、送信側はデータを伝送する際に、１番目のデータパケット１のフィードバック情報に基づき、２番目のデータパケット１を再送するか否かを決定する必要がなく、送信側は、１番目のデータパケット１のフィードバック情報を受信していない期間内で、受信側からアップリンク（ＵＬ：Ｕｐ  Ｌｉｎｋ）を介して送信された１番目のデータパケット１のフィードバック情報を受信するまでデータパケット１を連続的に送信することができる。送信側によって受信された１番目のデータパケット１のフィードバック情報がＮＡＣＫ情報である場合、送信側はデータパケット１を連続的に送信（再送）することができ、送信側によって受信された１番目のデータパケット１のフィードバック情報がＡＣＫ情報である場合、送信側はデータパケット１の送信を停止することができ、この場合、該送信側は新しいデータパケット（図４のデータパケット２を参照）を送信することができる。
【０１５２】
選択可能に、一つの実施例として、前記フィードバック情報は、前記受信側が前記複数のデータパケットのうちの少なくとも２つのデータパケットを正確に受信するか否かを示すための指示情報を含む。
【０１５３】
具体的には、受信側は、送信側から送信された、同じ情報を含む複数のデータパケットを受信した後に、該複数のデータパケットに対して併せて検出を行い、データパケットの内容を取得することができる。例えば、受信側は、送信側から送信された複数のデータパケットのうちのいずれかの３つのデータパケットを受信した場合のみ、データパケットの内容を解析することができ、即ち、受信側が上記複数のデータパケットのうちのいずれか３つのデータパケットを正確に受信した場合、受信側は送信側へＡＣＫ情報を送信することができ、受信側が上記複数のデータパケットのうちのいずれか３つのデータパケットが正確に受信できていない場合、受信側は送信側へＮＡＣＫ情報を送信することができる。
【０１５４】
選択可能に、一つの実施例として、前記フィードバック情報は前記受信側が前記複数のデータパケットに含まれる情報を正確に受信したか否かを示すための指示情報を含む。
【０１５５】
具体的には、同じ情報を含む複数のデータパケットは複数回送信される、同じ情報を含むデータパケットとして理解されてもよく、そのためこの点から、フィードバック情報は受信側がデータパケットに含まれる情報を正確に受信したか否かを示すことができる。
【０１５６】
選択可能に、一つの実施例として、前記フィードバック情報は前記複数のデータパケットのうちのターゲットデータパケットに対応する伝送パターン及び／又は前記ターゲットデータパケットの伝送シーケンス番号を含む。
【０１５７】
図５は本発明の他の実施例によるＴＤＤでアップリンク及びダウンリンクデータ伝送を行うことを示す図である。以下に図５に示すＴＤＤでアップリンク及びダウンリンクデータ伝送を行うことを例としてデータ伝送方法を詳細に説明する。図５に示すように、送信側はＤＬを介して同じ情報を含む複数のデータパケット（図５に示すデータパケット１を参照）を連続的に送信することができ、受信側は複数回伝送された該データパケット（データパケット１）の検出結果に基づいてＵＬを介して送信側へフィードバック情報を送信することができる。図５において受信側が送信側から送信された３つのデータパケット１を正確に受信したか否かを例として説明し、受信側が送信側から送信された３つのデータパケット１が正確に受信できていない場合、受信側は送信側へＮＡＣＫ情報をフィードバック情報として送信することができ、受信側は該ＮＡＣＫ情報に、送信側から送信された上記３つのデータパケット１のうちのチャネル品質が最も悪い１回の伝送されたシーケンス番号（図５に示すＲ２を参照）を含むことができ、送信側は該データパケットに対応する伝送パターンに基づいて該シーケンス番号に対応するデータパケットを再送することができ、受信側が送信側から再送されたシーケンス番号がＲ２であるデータパケット１を正確に受信した場合、受信側は送信側へＡＣＫ情報を送信することができ、この時に送信側は新しいデータパケット（図５のデータパケット２を参照）を送信することができ、受信側が送信側から送信された３つのデータパケット１を正確に受信した場合、受信側は送信側へＡＣＫ情報（図５に示されない）を送信することができ、この時に送信側は新しいデータパケットを送信することができる。
【０１５８】
図６は本発明の他の実施例による周波数分割複信（ＦＤＤ：Ｆｒｅｑｕｅｎｃｙ  Ｄｉｖｉｓｉｏｎ  Ｄｕｐｌｅｘｉｎｇ）でアップリンク及びダウンリンクデータ伝送を行うことを示す図である。以下に図６に示すＦＤＤでアップリンク及びダウンリンクデータ伝送を行うことを例としてデータ伝送方法を詳細に説明する。図６に示すように、送信側はＤＬのサブフレームで同じ情報を含むデータパケット（データパケット１）を連続的に複数回（図６において５回を例とする）送信することができる。受信側は、連続したＮ個（図６において３つを例とする）のデータパケットを受信した後に、このＮ個のデータパケットに対して併せて検出を行う。図６に示す２番目のデータパケット１、３番目のデータパケット１と４番目のデータパケット１がデータパケット１の全てのＨＡＲＱ冗長バージョンを含むと仮定し、即ち、受信側はデータパケット１のこの３つのＨＡＲＱ冗長バージョンを受信した場合のみ、データパケット１に対して併せて検出を行うことができ、したがって、受信側がＵＬを介して送信側へフィードバック情報を送信する場合、該フィードバック情報は受信側がデータパケット１の全てのＨＡＲＱ冗長バージョンを正確に受信したか否かを示すことに用いられ、送信側がＮＡＣＫ情報を受信した場合、データパケット１の送信を継続することができ、送信側がＡＣＫ情報を受信した場合、データパケット１の送信を停止し、新しいデータパケット２を送信することができる。
【０１５９】
選択可能に、一つの実施例として、前記フィードバック情報は前記受信側が前記送信側から送信された前記複数のデータパケットのうちの指定されたデータパケットを正確に受信したか否かを示すための指示情報を含み、前記指定されたデータパケットが前記フィードバック情報とプリセット時間シーケンス関係を有するデータパケットである。
【０１６０】
具体的には、フィードバック情報は複数のデータパケットのうちの指定されたデータパケットが受信側に正確に受信されたか否かを示すことに用いられ、フィードバック情報と指定されたデータパケットがプリセット時間シーケンス関係を有し、該プリセット時間シーケンス関係が受信側が送信側へフィードバック情報を送信する時点と受信側が指定されたデータパケットを受信する時点の間の固定期間であってもよい。
【０１６１】
上記フィードバック情報と指定されたデータパケットの間のプリセット時間シーケンス関係について、フィードバック情報と指定されたデータパケットの間に定められた固定数の伝送時間間隔が区切られることを例して説明する。理解すべきものとして、本発明の実施例のプリセット時間シーケンス関係はこれに限定されない。
【０１６２】
フィードバック情報と指定されたデータパケットの間に区切られる、定められた伝送時間間隔の固定数が３であると仮定し、即ち、フィードバック情報と指定されたデータパケットの間の伝送時間間隔が３であり、送信側がフィードバック情報を受信した場合、該フィードバック情報は該フィードバック情報の前の３つの伝送時間間隔のデータパケットが受信側に正確に受信されたか否かを示すことに用いられる。
【０１６３】
選択可能に、一つの実施例として、前記プリセット時間シーケンス関係は前記送信側と前記受信側によって予め定めれた時間シーケンス関係であり、又は前記プリセット時間シーケンス関係は前記送信側がシグナリングによって前記受信側に送信されたものである。
【０１６４】
具体的には、上記プリセット時間シーケンス関係は前記送信側と前記受信側によって予め定めれた時間シーケンス関係であり、送信側と受信側がプロトコルによって上記の予め定められた時間シーケンス関係を確定することを意味してもよく、また送信側と受信側とで人為的に設定された該プリセット時間シーケンス関係であってもよい。
【０１６５】
上記プリセット時間シーケンス関係は、送信側がシグナリングによって受信側に送信したものであり、送信側から受信側へシグナリングを送信し、該シグナリングに上記プリセット時間シーケンス関係が含まれることを意味してもよい。例えば、送信側が基地局である場合、該送信側は受信側へＤＣＩを送信し、且つ該ＤＣＩに上記プリセット時間シーケンス関係を含ませることができる。
【０１６６】
理解すべきものとして、送信側と受信側がいずれも端末である（送信側と受信側がＤ２Ｄ通信を行うと理解されてもよい）場合、上記プリセット時間シーケンス関係は送信側によって受信側に送信される以外、基地局によって送信側と受信側にそれぞれ送信されてもよく、また送信側によって基地局に送信され、さらに基地局によって受信側に送信されてもよく、本発明は上記プリセット時間シーケンス関係の設定方式を具体的に限定しない。
【０１６７】
３３０において、送信側はフィードバック情報に基づいて後続のデータを伝送する。
【０１６８】
選択可能に、一つの実施例として、前記送信側が前記フィードバック情報に基づいて後続のデータを伝送することは、前記送信側が前記フィードバック情報に基づき、前記ターゲットデータパケットに対応する伝送パターンを確定することと、前記送信側が前記ターゲットデータパケットに対応する伝送パターンに基づき、後続のデータを伝送するための伝送パターンを確定することと、前記送信側が前記後続のデータを伝送るための伝送パターンで、前記後続のデータを伝送することとを含む。
【０１６９】
選択可能に、一つの実施例として、前記ターゲットデータパケットは、
前記受信側に正確に受信されていないデータパケット、前記複数のデータパケットを伝送するための少なくとも一つのチャネルのうちのチャネル品質が最も良いチャネルで伝送されたデータパケット、前記複数のデータパケットを伝送するための少なくとも一つのチャネルのうちのチャネル品質が最も悪いチャネルで伝送されれたデータパケット、前記複数のデータパケットのうちの誤り検出率が最も低いデータパケット、前記複数のデータパケットのうちの誤り検出率が最も高いデータパケットのいずれか一つのデータパケットを含む。
【０１７０】
具体的には、受信側がフィードバック情報（ＮＡＣＫ情報）にターゲットデータパケットに対応する伝送パターン及び／又は該ターゲットデータパケットの伝送シーケンス番号を含ませる場合、該ターゲットデータパケットは、前記受信側に正確に受信されていないデータパケット、前記複数のデータパケットを伝送するための少なくとも一つのチャネルのうちのチャネル品質が最も悪いチャネルで伝送されたデータパケット、複数のデータパケットのうちの誤り検出率が最も高いデータパケットのいずれか一つのデータパケットを含むことができる。
【０１７１】
受信側がフィードバック情報（ＡＣＫ情報）にターゲットデータパケットに対応する伝送パターン及び／又は該ターゲットデータパケットの伝送シーケンス番号を含ませる場合、該ターゲットデータパケットは、
前記複数のデータパケットを伝送するための少なくとも一つのチャネルのうちのチャネル品質が最も良いチャネルで伝送されたデータパケット、及び／又は複数のデータパケットのうちの誤り検出率が最も低いデータパケットを含むことができる。
【０１７２】
理解すべきものとして、上記ターゲットデータパケットが前記複数のデータパケットを伝送するための少なくとも一つのチャネルのうちのチャネル品質が最も悪いチャネルで伝送されたデータパケットを含む場合、該ターゲットデータパケットに対応する伝送パターン及び／又は該ターゲットデータパケットの伝送シーケンス番号はＡＣＫ情報に含まれてもよく、即ち、該ターゲットデータパケットが受信側に正確に受信されたが、該データパケットを伝送するためのチャネルのチャネル品質が最も悪い。異なるタイプのターゲットデータパケットがＡＣＫ情報又はＮＡＣＫ情報に含まれることは本発明において具体的に限定されない。
【０１７３】
選択可能に、一つの実施例として、上記ターゲットデータパケットはさらに送信側が複数のデータパケットを伝送するためのチャネルのうち、チャネル品質が悪いチャネルで伝送されたパケットを含むことができ、即ち、受信側は第一のチャネル品質閾値を設定することができ、データパケットを伝送するためのチャネルのうちのいずれか一つのチャネルのチャネル品質が該チャネル品質閾値より低い場合、該チャネルで伝送されたデータパケットはターゲットデータパケットとして使用されてもよい。同様に、上記ターゲットデータパケットはさらに送信側が複数のデータパケットを伝送するためのチャネルのうち、チャネル品質が良いチャネルで伝送されたデータパケットを含むことができ、即ち、受信側はさらに第二のチャネル品質閾値を設定することができ、データパケットを伝送するためのチャネルのうちのいずれか一つのチャネルのチャネル品質が該チャネル品質閾値より高い場合、該チャネルで伝送されたデータパケットはターゲットデータパケットとして使用されてもよい。
【０１７４】
理解すべきものとして、上記第一のチャネル品質閾値が第二のチャネル品質閾値と同じであってもよく、又は上記第一のチャネル品質閾値が第二のチャネル品質閾値よりも低くてもよい。
【０１７５】
選択可能に、一つの実施例として、上記ターゲットデータパケットはさらに受信側によって検出された複数のデータパケットのうちの誤り検出率が最も高いデータパケットを含むことができる。即ち、受信側は第一の誤り検出率閾値を設定することができ、複数のデータパケットのいずれか一つのデータパケットの誤り検出率が該第一の誤り検出率閾値より高い場合、該データパケットはターゲットデータパケットとして使用されてもよい。同様に、上記ターゲットデータパケットはさらに受信側に検出された複数のデータパケットのうちの誤り検出率が低いデータパケットを含むことができる。即ち、受信側は第二の誤り検出率閾値を設定することができ、複数のデータパケットのいずれか一つのデータパケットの誤り検出率が該第二の誤り検出率閾値より低い場合、該データパケットはターゲットデータパケットとして使用されてもよい。
【０１７６】
理解すべきものとして、第一の誤り検出率閾値が第二の誤り検出率閾値と同じであってもよく、又は第一の誤り検出率閾値が第二の誤り検出率閾値より高くてもよい。
【０１７７】
理解すべきものとして、上記フィードバック情報に含まれるターゲットデータパケットの種類が送信側と受信側とによって予め定められた形態で送信側と受信側内に記憶されてもよく、また送信側と受信側内にターゲットデータパケットに対応するタイプ識別子を記憶し、フィードバック情報に該データパケットのタイプ識別子を含むことができる。このようにして、送信側と受信側がターゲットデータパケットに対応する伝送パターンに基づき、後続のデータパケットの伝送パターンを調整することができ、本発明は送信側と受信側がターゲットデータパケットの種類を取得する方式が本発明において具体的に限定されない。
【０１７８】
選択可能に、一つの実施例として、前記送信側が前記フィードバック情報に基づいて後続のデータを伝送することは、前記フィードバック情報がＡＣＫ情報である場合、前記送信側が前記複数のデータパケットに含まれる情報と同じデータパケットの送信を停止することと、前記フィードバック情報がＮＡＣＫ情報である場合、前記送信側が前記複数のデータパケットに含まれる情報と同じデータパケットを伝送することとを含む。
【０１７９】
説明すべきものとして、フィードバック情報がＡＣＫ情報である場合、送信側は前記複数のデータパケットに含まれる情報と同じデータパケットの送信を停止し、送信側は受信側へ新しいデータパケット（即ち上記複数のデータパケットに含まれる情報と同じデータパケット）を送信することができ、また送信側は受信側へのデータの伝送を終了することができ、本発明はこれに具体的に限定されない。
【０１８０】
選択可能に、一つの実施例として、前記方法はさらに、前記送信側によって送信された前記複数のデータパケットの数が予め設定された閾値以上である場合、前記送信側が前記複数のデータパケットに含まれる情報と同じデータパケットの送信を停止することを含む。
【０１８１】
具体的には、送信側が複数のデータパケットに含まれる情報と同じデータパケットを送信する回数が予め設定された送信回数以上である場合、即ち、送信側が複数のデータパケットの内容と同じデータパケットを送信する回数が予め設定された送信回数より多い場合、送信側は複数のデータパケットの内容と同じデータパケットの送信を停止し、送信側は受信側へ新しいデータパケット（即ち上記複数のデータパケットの内容と異なるデータパケット）を送信することができ、また送信側は受信側へのデータの伝送を終了することができる。
【０１８２】
説明すべきものとして、送信側が受信側へ複数のデータパケットを送信する場合、送信側によって受信された受信側からのフィードバック情報がＮＡＣＫ情報（即ちＮＡＣＫ情報を含むフィードバック情報）であり、且つ送信側によって送信された前記複数のデータパケットの数が予め設定された閾値以上であると、送信側は受信側への複数のデータパケットの内容と同じデータパケットの送信を停止することができる。
【０１８３】
選択可能に、一つの実施例として、前記伝送パターンは、ハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報から構成される。
【０１８４】
以上に図１と図６を参照しながら本発明の実施例によるデータ伝送方法を詳細に説明し、以下に図７−図１０を参照しながら本発明の実施例によるデータ伝送装置を詳細に説明する。理解すべきものとして、図７−図１０に示す装置は図３における各ステップを実現することができ、繰り返しを回避するために、ここで詳細な説明を省略する。
【０１８５】
図７は本発明の実施例によるデータ伝送装置の概略ブロック図である。図７に示す装置７００は第一の送信モジュール７１０、受信モジュール７２０と第一の処理モジュール７３０を備える。
【０１８６】
第一の送信モジュール７１０は、フィードバック情報を受信する前に、前記受信側へ同じ情報を含む複数のデータパケットを連続的に送信するように構成され、前記フィードバック情報が前記受信側が前記複数のデータパケットの少なくとも部分のデータパケットを正確に受信したか否かを示すことに用いられ、
受信モジュール７２０は、前記受信側から送信された前記フィードバック情報を受信するように構成され、
第一の処理モジュール７３０は、前記フィードバック情報に基づいて後続のデータを伝送するように構成される。
【０１８７】
該解決策では、送信側は、受信側から送信されたフィードバック情報を受信するまで受信側へ同じ情報を含む複数のデータパケットを連続的に送信することができ、送信側はフィードバック情報に基づいて後続のデータ伝送を確定する。このようなデータ伝送メカニズムでは、送信側がずっと受信側へ同じ情報を含むデータパケットを送信するので、データ伝送の信頼性を向上させることができる。
【０１８８】
同時に、上記データ伝送メカニズムでは、受信側がデータパケットのデータ検出及びフィードバック情報の送信を行う期間内で、送信側はずっと受信側へ同じ情報を含む複数のデータパケットを送信することができ、これによりデータ伝送遅延を短縮することができる。例えば、受信側が１番目のデータパケットが正確に受信できていない場合、後続の同じ情報を含むデータパケットが既に送信側によって受信側に送信されたので、受信側は後続の同じ情報を含むデータパケットを直ちに再検出することができ、従来のデータ伝送メカニズムのように、受信側が送信側へフィードバック情報を送信した後、受信側が送信側が同じ情報を含むデータパケットを再送することを待つ必要がない。
【０１８９】
選択可能に、一つの実施例として、前記第一の送信モジュールは具体的に前記複数のデータパケットの各々に対応する伝送パターンに基づき、前記受信側へ前記複数のデータパケットを連続的に送信するように構成される。
【０１９０】
選択可能に、一つの実施例として、前記第一の送信モジュールは具体的に少なくとも２つの伝送パターンに基づいて前記受信側へ前記複数のデータパケットを送信するように構成される。
【０１９１】
選択可能に、一つの実施例として、前記フィードバック情報が前記複数のデータパケットのうちのターゲットデータパケットの伝送情報を含み、前記第一の処理モジュールが具体的に前記ターゲットデータパケットの伝送情報に基づき、前記ターゲットデータパケットに対応する伝送パターンを確定し、前記ターゲットデータパケットに対応する伝送パターンに基づき、後続のデータを伝送するための伝送パターンを確定し、前記後続のデータパケットを伝送するための伝送パターンで、前記後続のデータを伝送するように構成される。
【０１９２】
選択可能に、一つの実施例として、前記ターゲットデータパケットの伝送情報は前記ターゲットデータパケットに対応する伝送パターン及び／又は前記ターゲットデータパケットの伝送シーケンス番号を含む。
【０１９３】
選択可能に、一つの実施例として、前記ターゲットデータパケットは、前記受信側に正確に受信されていないデータパケット、前記受信側に正確に受信されたデータパケット、前記複数のデータパケットを伝送するための少なくとも一つのチャネルのうちのチャネル品質が最も良いチャネルで伝送されたデータパケット、前記複数のデータパケットを伝送するための少なくとも一つのチャネルのうちのチャネル品質が最も悪いチャネルで伝送されたデータパケット、前記複数のデータパケットのうちの誤り検出率が最も低いデータパケット、前記複数のデータパケットのうちの誤り検出率が最も高いデータパケットのいずれか一つのデータパケットを含む。
【０１９４】
選択可能に、一つの実施例として、前記伝送パターンにおける伝送情報は、ハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報を含む。
【０１９５】
選択可能に、一つの実施例として、前記複数のデータパケットの各々に対応する伝送パターンは前記送信側と前記受信側とによって予め定められたものであり、又は前記複数のデータパケットの各々に対応する伝送パターンは前記送信側がシグナリングによって前記受信側に送信したものである。
【０１９６】
選択可能に、一つの実施例として、前記フィードバック情報は前記受信側が前記送信側から送信された前記複数のデータパケットのうちの指定されたデータパケットを正確に受信したか否かを示すための指示情報を含み、前記指定されたデータパケットが前記フィードバック情報とプリセット時間シーケンス関係を有するデータパケットである。
【０１９７】
選択可能に、一つの実施例として、前記プリセット時間シーケンス関係は前記送信側と前記受信側とによって予め定められた時間シーケンス関係であり、又は前記プリセット時間シーケンス関係は前記送信側がシグナリングによって前記受信側に送信したものである。
【０１９８】
選択可能に、一つの実施例として、前記フィードバック情報は、前記受信側が前記複数のデータパケットのうちのいずれか一つのデータパケットである第一のデータパケットを正確に受信したか否かを示すための指示情報、前記受信側が前記複数のデータパケットのうちの少なくとも２つのデータパケットを正確に受信したか否かを示すための指示情報、前記受信側が前記複数のデータパケットに含まれる情報を正確に受信したか否かを示すための指示情報のいずれか一つを含む。
【０１９９】
選択可能に、一つの実施例として、前記第一の処理モジュールは具体的に前記フィードバック情報に確認ＡＣＫ情報が含まれる場合、前記複数のデータパケットに含まれる情報と同じデータパケットの送信を停止し、前記フィードバック情報に否定ＮＡＣＫ情報が含まれる場合、前記複数のデータパケットに含まれる情報と同じデータパケットを伝送するように構成される。
【０２００】
選択可能に、一つの実施例として、前記装置はさらに、送信された前記複数のデータパケットの数が予め設定された閾値以上である場合、前記複数のデータパケットに含まれる情報と同じデータパケットの送信を停止するように構成される第二の処理モジュールを備える。
【０２０１】
選択可能に、一つの実施例として、前記装置はさらに、前記複数のデータパケットを受信するように前記受信側に指示するためのスケジューリングシグナリングを前記受信側に送信するように構成され、又は前記複数のデータパケットと一対一で対応する複数のスケジューリングシグナリングを前記受信側に送信するように構成され、前記複数のスケジューリングシグナリングの各々が前記各スケジューリングシグナリングに対応するデータパケットを受信するように前記受信側に指示することに用いられる第二の送信モジュールを備える。
【０２０２】
図８は本発明の他の実施例によるデータ伝送装置の概略ブロック図である。図８に示す装置８００は、第一の受信モジュール８１０、検出モジュール８２０、確定モジュール８３０と送信モジュール８４０を備える。
【０２０３】
第一の受信モジュール８１０は、送信側によって連続的に送信された、同じ情報を含む複数のデータパケットを受信するように構成され、
検出モジュール８２０は、前記複数のデータパケットのうちの少なくとも部分のデータパケットを検出し、前記少なくとも部分のデータパケットの検出結果を確定するように構成され、
確定モジュール８３０は、前記少なくとも部分のデータパケットの検出結果に基づき、前記少なくとも部分のデータパケットの前記フィードバック情報を確定するように構成され、前記フィードバック情報が前記受信側が前記複数のデータパケットのうちの少なくとも部分のデータパケットを正確に受信したか否かを示すための指示情報を含み、
送信モジュール８４０は、前記送信側へ前記フィードバック情報を送信するように構成される。
【０２０４】
該解決策では、送信側は受信側から送信されたフィードバック情報を受信するまで受信側へ同じ情報を含む複数のデータパケットを連続的に送信することができ、送信側はフィードバック情報に基づいて後続のデータ伝送を確定する。このデータ伝送メカニズムでは、送信側がずっと受信側へ同じ情報を含むデータパケットを送信するので、データ伝送の信頼性を向上させることができる。
【０２０５】
同時に、上記データ伝送メカニズムでは、受信側がデータパケットのデータ検出及びフィードバック情報の送信を行う期間内で、送信側はずっと受信側へ同じ情報を含む複数のデータパケットを送信することができ、これによりデータ伝送遅延を短縮することができる。例えば、受信側が１番目のデータパケットが正確に受信できていない場合、後続の同じ情報を含むデータパケットが既に送信側によって受信側に送信されたので、受信側は後続の同じ情報を含むデータパケットを直ちに再検出することができ、従来のデータ伝送メカニズムのように、受信側が送信側へフィードバック情報を送信した後、受信側が送信側が同じ情報を含むデータパケットを再送することを待つ必要がない。
【０２０６】
選択可能に、一つの実施例として、前記第一の受信モジュールは具体的に前記複数のデータパケットの各々に対応する伝送パターンに基づき、前記送信側によって連続的に送信された、同じ情報を含む複数のデータパケットを受信するように構成される。
【０２０７】
選択可能に、一つの実施例として、前記第一の受信モジュールは具体的に少なくとも２つの伝送パターンに基づいて前記送信側から送信された同じ情報を含む前記複数のデータパケットを受信するように構成される。
【０２０８】
選択可能に、一つの実施例として、前記送信モジュールは具体的に前記送信側へ前記フィードバック情報を送信するように構成され、前記フィードバック情報が前記複数のデータパケットのうちのターゲットデータパケットに対応する伝送パターン及び／又は前記ターゲットデータパケットの伝送シーケンス番号を示すための情報を含む。
【０２０９】
選択可能に、一つの実施例として、前記ターゲットデータパケットは、前記受信側に正確に受信されていないデータパケット、前記受信側に正確に受信されたデータパケット、前記複数のデータパケットを伝送するための少なくとも一つのチャネルのうちのチャネル品質が最も良いチャネルで伝送されたデータパケット、前記複数のデータパケットを伝送するための少なくとも一つのチャネルのうちのチャネル品質が最も悪いチャネルで伝送されたデータパケット、前記複数のデータパケットのうちの誤り検出率が最も低いデータパケット、前記複数のデータパケットのうちの誤り検出率が最も高いデータパケットのいずれか一つのデータパケットを含む。
【０２１０】
選択可能に、一つの実施例として、前記伝送パターンは、ハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報から構成される。
【０２１１】
選択可能に、一つの実施例として、前記複数のデータパケットの各々に対応する伝送パターンは前記送信側と前記受信側とによって予め定められたものであり、又は前記複数のデータパケットの各々に対応する伝送パターンは前記送信側がシグナリングによって前記受信側に送信したものである。
【０２１２】
選択可能に、一つの実施例として、送信モジュールは具体的に前記送信側へ前記フィードバック情報を送信するように構成され、前記フィードバック情報が前記受信側が前記送信側から送信された前記複数のデータパケットのうちの指定されたデータパケットを正確に受信したか否かを示すための指示情報を含み、前記指定されたデータパケットが前記フィードバック情報とプリセット時間シーケンス関係を有するデータパケットである。
【０２１３】
選択可能に、一つの実施例として、前記プリセット時間シーケンス関係は前記送信側と前記受信側とによって予め定められた時間シーケンス関係であり、又は前記プリセット時間シーケンス関係は前記送信側がシグナリングによって前記受信側に送信したものである。
【０２１４】
選択可能に、一つの実施例として、前記フィードバック情報は、前記受信側が前記複数のデータパケットのうちのいずれか一つのデータパケットである第一のデータパケットを正確に受信したか否かを示すための指示情報、前記受信側が前記複数のデータパケットのうちの少なくとも２つのデータパケットを正確に受信したか否かを示すための指示情報、前記受信側が前記複数のデータパケットに含まれる情報を正確に受信したか否かを示すための指示情報のいずれか一つを含む。
【０２１５】
選択可能に、一つの実施例として、前記装置はさらに、前記送信側から送信されたスケジューリングシグナリングを受信するように構成され、前記スケジューリングシグナリングが前記送信側から送信された前記複数のデータパケットを受信するように前記受信側に指示することに用いられ、又は、前記複数のデータパケットと一対一で対応する複数のスケジューリングシグナリングを受信するように構成され、前記複数のスケジューリングシグナリングの各々が前記各スケジューリングシグナリングに対応するデータパケットを受信するように前記受信側に指示することに用いられる第二の受信モジュールを備える。
【０２１６】
選択可能に、一つの実施例として、前記検出モジュールは具体的に前記複数のデータパケットの各々を検出するように構成され、又は前記複数のデータパケットのうちの少なくとも２つのデータパケットに対して併せて検出を行うように構成される。
【０２１７】
図９は本発明の他の実施例によるデータ伝送装置の概略ブロック図である。図９に示す装置９００はメモリ９１０、プロセッサ９２０、入力／出力インタフェース９３０、通信インタフェース９４０とバスシステム９５０を備える。ここで、メモリ９１０、プロセッサ９２０、入力／出力インタフェース９３０と通信インタフェース９４０はバスシステム９５０を介して接続し、該メモリ９１０は命令を記憶するように構成され、該プロセッサ９２０は該メモリ９１０に記憶された命令を実行し、入力されたデータ及び情報を受信し、操作結果などのデータを出力するように入力／出力インタフェース９３０を制御し、且つ信号を送信するように通信インタフェース９４０を制御するように構成される。
【０２１８】
前記通信インタフェース９４０は、受信側へ同じ情報を含む複数のデータパケットを連続的に送信するように構成され、
前記通信インタフェース９４０はさらに、前記受信側から送信されたフィードバック情報を受信するように構成され、前記フィードバック情報が前記受信側が前記複数のデータパケットのうちの少なくとも部分のデータパケットを正確に受信したか否かを示すことに用いられ、
前記プロセッサ９２０は、前記フィードバック情報に基づいて後続のデータを伝送するように構成される。
【０２１９】
理解すべきものとして、本発明の実施例では、該プロセッサ９２０は、
汎用中央処理装置（ＣＰＵ：Ｃｅｎｔｒａｌ  Ｐｒｏｃｅｓｓｉｎｇ  Ｕｎｉｔ）、マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は関連プログラムを実行するための１つ又は複数の集積回路を使用し、本発明の実施例による技術的解決策を実施することができる。
【０２２０】
また、理解すべきものして、通信インタフェース９４０は例えば受信機のような送受信装置を使用して移動装置９００と他の装置又は通信ネットワークとの通信を実現するがこれに限定されない。
【０２２１】
該プロセッサ９１０は読み取り専用メモリとランダムアクセスメモリを含み、且つプロセッサ９２０に命令とデータを提供することができる。プロセッサ９２０の一部はさらに不揮発性ランダムアクセスメモリを含むことができる。例えば、プロセッサ９２０はさらに装置タイプの情報を記憶することができる。
【０２２２】
該システムバス９５０はデータバス以外、電源バス、制御バスと状態信号バスなどを含むことができる。しかし、明確に説明するために、図において様々なバスがバスシステム９５０としてマークされる。
【０２２３】
実施プロセスにおいて、上記方法の各ステップはプロセッサ９２０におけるハードウェアの集積論理回路又はソフトウェア形態の命令により完了されてもよい。本発明の実施例と組み合わせて開示されたデータ伝送方法はハードウェアプロセッサによって実行されて完了され、又はプロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリ９１０に位置し、プロセッサ９２０はメモリ９１０における情報を読み取り、そのハードウェアと組み合わせて上記方法のステップを完了する。繰り返しを回避するために、ここで詳細な説明を省略する。
【０２２４】
該解決策では、送信側は、受信側から送信されたフィードバック情報を受信するまで受信側へ同じ情報を含む複数のデータパケットを連続的に送信することができ、送信側はフィードバック情報に基づいて後続のデータ伝送を確定する。このようなデータ伝送メカニズムでは、送信側がずっと受信側へ同じ情報を含むデータパケットを送信するので、データ伝送の信頼性を向上させることができる。
【０２２５】
同時に、上記データ伝送メカニズムでは、受信側がデータパケットのデータ検出及びフィードバック情報の送信を行う期間内で、送信側はずっと受信側へ同じ情報を含む複数のデータパケットを送信することができ、これによりデータ伝送遅延を短縮することができる。例えば、受信側が１番目のデータパケットが正確に受信できていない場合、後続の同じ情報を含むデータパケットが既に送信側によって受信側に送信されたので、受信側は後続の同じ情報を含むデータパケットを直ちに再検出することができ、従来のデータ伝送メカニズムのように、受信側が送信側へフィードバック情報を送信した後、受信側が送信側が同じ情報を含むデータパケットを再送することを待つ必要がない。
【０２２６】
選択可能に、一つの実施例として、前記通信インタフェースは具体的に前記複数のデータパケットの各々に対応する伝送パターンに基づき、前記受信側へ前記複数のデータパケットを連続的に送信するように構成される。
【０２２７】
選択可能に、一つの実施例として、前記通信インタフェースは具体的に少なくとも２つの伝送パターンに基づいて前記受信側へ前記複数のデータパケットを送信するように構成される。
【０２２８】
選択可能に、一つの実施例として、前記フィードバック情報が前記複数のデータパケットのうちのターゲットデータパケットの伝送情報を含み、前記第一の処理モジュールは具体的に前記ターゲットデータパケットの伝送情報に基づき、前記ターゲットデータパケットに対応する伝送パターンを確定し、前記ターゲットデータパケットに対応する伝送パターンに基づき、後続のデータを伝送するための伝送パターンを確定し、前記後続のデータパケットを伝送するための伝送パターンで、前記後続のデータを伝送するように構成される。
【０２２９】
選択可能に、一つの実施例として、前記ターゲットデータパケットの伝送情報は前記ターゲットデータパケットに対応する伝送パターン及び／又は前記ターゲットデータパケットの伝送シーケンス番号を含む。
【０２３０】
選択可能に、一つの実施例として、前記ターゲットデータパケットは、前記受信側に正確に受信されていないデータパケット、前記受信側に正確に受信されたデータパケット、前記複数のデータパケットを伝送するための少なくとも一つのチャネルのうちのチャネル品質が最も良いチャネルで伝送されたデータパケット、前記複数のデータパケットを伝送するための少なくとも一つのチャネルのうちのチャネル品質が最も悪いチャネルで伝送されたデータパケット、前記複数のデータパケットのうちの誤り検出率が最も低いデータパケット、前記複数のデータパケットのうちの誤り検出率が最も高いデータパケットのいずれか一つのデータパケットを含む。
【０２３１】
選択可能に、一つの実施例として、前記伝送パターンにおける伝送情報はハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報を含む。
【０２３２】
選択可能に、一つの実施例として、前記複数のデータパケットの各々に対応する伝送パターンは前記送信側と前記受信側とによって予め定められたものであり、又は前記複数のデータパケットの各々に対応する伝送パターンは前記送信側がシグナリングによって前記受信側に送信したものである。
【０２３３】
選択可能に、一つの実施例として、前記フィードバック情報は前記受信側が前記送信側から送信された前記複数のデータパケットのうちの指定されたデータパケットを正確に受信したか否かを示すための指示情報を含み、前記指定されたデータパケットが前記フィードバック情報とプリセット時間シーケンス関係を有するデータパケットである。
【０２３４】
選択可能に、一つの実施例として、前記プリセット時間シーケンス関係は前記送信側と前記受信側とによって予め定められた時間シーケンス関係であり、又は前記プリセット時間シーケンス関係は前記送信側がシグナリングによって前記受信側に送信したものである。
【０２３５】
選択可能に、一つの実施例として、前記フィードバック情報は、前記受信側が前記複数のデータパケットのうちのいずれか一つのデータパケットである第一のデータパケットを正確に受信したか否かを示すための指示情報、前記受信側が前記複数のデータパケットのうちの少なくとも２つのデータパケットを正確に受信したか否かを示すための指示情報、前記受信側が前記複数のデータパケットに含まれる情報を正確に受信したか否かを示すための指示情報のいずれか一つを含む。
【０２３６】
選択可能に、一つの実施例として、前記プロセッサは具体的に前記フィードバック情報に確認ＡＣＫ情報が含まれる場合、前記複数のデータパケットに含まれる情報と同じデータパケットの送信を停止し、前記フィードバック情報に否定ＮＡＣＫ情報が含まれる場合、前記複数のデータパケットに含まれる情報と同じデータパケットを伝送するように構成される。
【０２３７】
選択可能に、一つの実施例として、前記プロセッサはさらに、前記送信側によって送信された前記複数のデータパケットの数が予め設定された閾値以上である場合、前記複数のデータパケットに含まれる情報と同じデータパケットの送信を停止するように構成される。
【０２３８】
選択可能に、一つの実施例として、前記通信インタフェースは、前記複数のデータパケットを受信するように前記受信側に指示するためのスケジューリングシグナリングを前記受信側に送信するように構成され、又は前記複数のデータパケットと一対一で対応する複数のスケジューリングシグナリングを前記受信側に送信するように構成され、前記複数のスケジューリングシグナリングの各々が前記各スケジューリングシグナリングに対応するデータパケットを受信するように前記受信側に指示することに用いられる。
【０２３９】
選択可能に、一つの実施例として、前記通信インタフェースは具体的に前記複数のデータパケットの各々に対応する伝送パターンに基づき、前記受信側へ前記複数のデータパケットを連続的に送信するように構成される。
【０２４０】
選択可能に、一つの実施例として、前記通信インタフェースは具体的に少なくとも２つの伝送パターンに基づいて前記受信側へ前記複数のデータパケットを送信するように構成される。
【０２４１】
選択可能に、一つの実施例として、前記フィードバック情報が前記複数のデータパケットのうちのターゲットデータパケットの伝送情報を含み、前記第一の処理モジュールは具体的に前記ターゲットデータパケットの伝送情報に基づき、前記ターゲットデータパケットに対応する伝送パターンを確定し、前記ターゲットデータパケットに対応する伝送パターンに基づき、後続のデータを伝送するための伝送パターンを確定し、前記後続のデータパケットを伝送するための伝送パターンで、前記後続のデータを伝送するように構成される。
【０２４２】
選択可能に、一つの実施例として、前記ターゲットデータパケットの伝送情報は前記ターゲットデータパケットに対応する伝送パターン及び／又は前記ターゲットデータパケットの伝送シーケンス番号を含む。
【０２４３】
選択可能に、一つの実施例として、前記ターゲットデータパケットは、前記受信側に正確に受信されていないデータパケット、前記受信側に正確に受信されたデータパケット、前記複数のデータパケットを伝送するための少なくとも一つのチャネルのうちのチャネル品質が最も良いチャネルで伝送されたデータパケット、前記複数のデータパケットを伝送するための少なくとも一つのチャネルのうちのチャネル品質が最も悪いチャネルで伝送されたデータパケット、前記複数のデータパケットのうちの誤り検出率が最も低いデータパケット、前記複数のデータパケットのうちの誤り検出率が最も高いデータパケットのいずれか一つのデータパケットを含む。
【０２４４】
選択可能に、一つの実施例として、前記伝送パターンにおける伝送情報は、ハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報を含む。
【０２４５】
選択可能に、一つの実施例として、前記複数のデータパケットの各々に対応する伝送パターンは前記送信側と前記受信側とによって予め定められたものであり、又は前記複数のデータパケットの各々に対応する伝送パターンは前記送信側がシグナリングによって前記受信側に送信したものである。
【０２４６】
選択可能に、一つの実施例として、前記フィードバック情報は前記受信側が前記送信側から送信された前記複数のデータパケットのうちの指定されたデータパケットを正確に受信したか否かを示すための指示情報を含み、前記指定されたデータパケットが前記フィードバック情報とプリセット時間シーケンス関係を有するデータパケットである。
【０２４７】
選択可能に、一つの実施例として、前記プリセット時間シーケンス関係は前記送信側と前記受信側とによって予め定められた時間シーケンス関係であり、又は前記プリセット時間シーケンス関係は前記送信側がシグナリングによって前記受信側に送信したものである。
【０２４８】
選択可能に、一つの実施例として、前記フィードバック情報は、前記受信側が前記複数のデータパケットのうちのいずれか一つのデータパケットである第一のデータパケットを正確に受信したか否かを示すための指示情報、前記受信側が前記複数のデータパケットのうちの少なくとも２つのデータパケットを正確に受信したか否かを示すための指示情報、前記受信側が前記複数のデータパケットに含まれる情報を正確に受信したか否かを示すための指示情報のいずれか一つを含む。
【０２４９】
選択可能に、一つの実施例として、前記プロセッサは具体的に前記フィードバック情報に確認ＡＣＫ情報が含まれる場合、前記複数のデータパケットに含まれる情報と同じデータパケットの送信を停止し、前記フィードバック情報に否定ＮＡＣＫ情報が含まれる場合、前記複数のデータパケットに含まれる情報と同じデータパケットを伝送するように構成される。
【０２５０】
選択可能に、一つの実施例として、前記プロセッサは具体的に、前記送信側によって送信された前記複数のデータパケットの数が予め設定された閾値以上である場合、前記複数のデータパケットに含まれる情報と同じデータパケットの送信を停止するように構成される。
【０２５１】
選択可能に、一つの実施例として、前記通信インタフェースは、前記複数のデータパケットを受信するように前記受信側に指示するためのスケジューリングシグナリングを前記受信側に送信するように構成され、又は前記複数のデータパケットと一対一で対応する複数のスケジューリングシグナリングを前記受信側に送信するように構成され、前記複数のスケジューリングシグナリングの各々が前記各スケジューリングシグナリングに対応するデータパケットを受信するように前記受信側に指示することに用いられる。
【０２５２】
図１０は本発明の他の実施例によるデータ伝送装置の概略ブロック図である。図１０に示す装置１０００は、メモリ１０１０、プロセッサ１０２０、入力／出力インタフェース１０３０、通信インタフェース１０４０とバスシステム１０５０を備える。ここで、メモリ１０１０、プロセッサ１０２０、入力／出力インタフェース１０３０と通信インタフェース１０４０はバスシステム１０５０を介して接続し、該メモリ１０１０は命令を記憶するように構成され、該プロセッサ１０２０は該メモリ１０１０に記憶された命令を実行し、入力されたデータ及び情報を受信し、操作結果などのデータを出力するように入力／出力インタフェース１０３０を制御し、且つ信号を送信するように通信インタフェース１０４０を制御するように構成される。
【０２５３】
通信インタフェース１０４０は、送信側によって連続的に送信された複数のデータパケットを受信するように構成され、
プロセッサ１０２０は前記複数のデータパケットのうちの少なくとも部分のデータパケットを検出し、前記少なくとも部分のデータパケットの検出結果を確定し、前記少なくとも部分のデータパケットの検出結果に基づき、前記少なくとも部分のデータパケットの前記フィードバック情報を確定するように構成され、
通信インタフェース１０４０はさらに前記送信側へ前記フィードバック情報を送信するように構成され、前記フィードバック情報が前記受信側が前記複数のデータパケットのうちの少なくとも部分のデータパケットを正確に受信したか否かを示すことに用いられる。
【０２５４】
理解すべきものとして、本発明の実施例では、該プロセッサ１０２０は、汎用中央処理装置（ＣＰＵ：Ｃｅｎｔｒａｌ  Ｐｒｏｃｅｓｓｉｎｇ  Ｕｎｉｔ）、マイクロプロセッサ、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、又は関連プログラムを実行するための１つ又は複数の集積回路を使用し、本発明の実施例による技術的解決策を実施することができる。
【０２５５】
また、理解すべきものとして、通信インタフェース１０４０は例えば受信機のような送受信装置を使用して移動装置１０００と他の装置又は通信ネットワークとの通信を実現するがこれに限定されない。
【０２５６】
該プロセッサ１０１０は読み取り専用メモリとランダムアクセスメモリを含み、且つプロセッサ１０２０に命令とデータを提供することができる。プロセッサ１０２０の一部はさらに不揮発性ランダムアクセスメモリを含むことができる。例えば、プロセッサ１０２０はさらに装置タイプの情報を記憶することができる。
【０２５７】
該システムバス１０５０はデータバス以外、電源バス、制御バスと状態信号バスなどを含むことができる。しかし、明確に説明するために、図において様々なバスがバスシステム１０５０としてマークされる。
【０２５８】
実施プロセスにおいて、上記方法の各ステップはプロセッサ１０２０におけるハードウェアの集積論理回路又はソフトウェア形態の命令により完了されてもよい。本発明の実施例と組み合わせて開示されたデータ伝送方法はハードウェアプロセッサによって実行されて完了され、又はプロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリ１０１０に位置し、プロセッサ１０２０はメモリ１０１０における情報を読み取り、そのハードウェアと組み合わせて上記方法のステップを完了する。繰り返しを回避するために、ここで詳細な説明を省略する。
【０２５９】
選択可能に、一つの実施例として、前記通信インタフェースは具体的に前記複数のデータパケットの各々に対応する伝送パターンに基づき、前記送信側によって連続的に送信された、同じ情報を含む複数のデータパケットを受信するように構成される。
【０２６０】
選択可能に、一つの実施例として、前記通信インタフェースは具体的に少なくとも２つの伝送パターンに基づいて前記送信側から送信された同じ情報を含む前記複数のデータパケットを受信するように構成される。
【０２６１】
選択可能に、一つの実施例として、前記通信インタフェースは具体的に前記送信側へ前記フィードバック情報を送信するように構成され、前記フィードバック情報が前記複数のデータパケットのうちのターゲットデータパケットに対応する伝送パターン及び／又は前記ターゲットデータパケットの伝送シーケンス番号を示すための情報を含む。
【０２６２】
選択可能に、一つの実施例として、前記ターゲットデータパケットは、前記受信側に正確に受信されていないデータパケット、前記受信側に正確に受信されたデータパケット、前記複数のデータパケットを伝送するための少なくとも一つのチャネルのうちのチャネル品質が最も良いチャネルで伝送されたデータパケット、前記複数のデータパケットを伝送するための少なくとも一つのチャネルのうちのチャネル品質が最も悪いチャネルで伝送されたデータパケット、前記複数のデータパケットのうちの誤り検出率が最も低いデータパケット、前記複数のデータパケットのうちの誤り検出率が最も高いデータパケットのいずれか一つのデータパケットを含む。
【０２６３】
選択可能に、一つの実施例として、前記伝送パターンは、ハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報から構成される。
【０２６４】
選択可能に、一つの実施例として、前記複数のデータパケットの各々に対応する伝送パターンは前記送信側と前記受信側とによって予め定められたものであり、又は前記複数のデータパケットの各々に対応する伝送パターンは前記送信側がシグナリングによって前記受信側に送信したものである。
【０２６５】
選択可能に、一つの実施例として、前記通信インタフェースは具体的に前記送信側へ前記フィードバック情報を送信するように構成され、前記フィードバック情報が前記受信側が前記送信側から送信された前記複数のデータパケットのうちの指定されたデータパケットを正確に受信したか否かを示すための指示情報を含み、前記指定されたデータパケットが前記フィードバック情報とプリセット時間シーケンス関係を有するデータパケットである。
【０２６６】
選択可能に、一つの実施例として、前記プリセット時間シーケンス関係は前記送信側と前記受信側とによって予め定められた時間シーケンス関係であり、又は前記プリセット時間シーケンス関係は前記送信側がシグナリングによって前記受信側に送信したものである。
【０２６７】
選択可能に、一つの実施例として、前記フィードバック情報は、前記受信側が前記複数のデータパケットのうちのいずれか一つのデータパケットである第一のデータパケットを正確に受信したか否かを示すための指示情報、前記受信側が前記複数のデータパケットのうちの少なくとも２つのデータパケットを正確に受信したか否かを示すための指示情報、前記受信側が前記複数のデータパケットに含まれる情報を正確に受信したか否かを示すための指示情報のいずれか一つを含む。
【０２６８】
選択可能に、一つの実施例として、前記通信インタフェースはさらに
前記送信側から送信されたスケジューリングシグナリングを受信するように構成され、前記スケジューリングシグナリングが前記送信側から送信された前記複数のデータパケットを受信するように前記受信側に指示することに用いられ、又は、前記複数のデータパケットと一対一で対応する複数のスケジューリングシグナリングを受信するように構成され、前記複数のスケジューリングシグナリングの各々が前記各スケジューリングシグナリングに対応するデータパケットを受信するように前記受信側に指示することに用いられる。
【０２６９】
選択可能に、一つの実施例として、前記プロセッサは具体的に前記複数のデータパケットの各々を検出し、又は前記複数のデータパケットのうちの少なくとも２つのデータパケットに対して併せて検出を行うように構成される。
【０２７０】
理解すべきものとして、本発明の実施例では、「Ａに対応するＢ」はＢがＡと関連することを示し、Ａに基づいてＢを確定することができる。しかし、理解すべきものとして、Ａに基づいてＢを確定することはＡのみに基づいてＢを確定することを意味せず、Ａ及び／又は他の情報に基づいてＢを確定することができる。
【０２７１】
理解すべきものとして、本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０２７２】
本発明の各実施例では、上記各プロセスの番号の大きさが実行順序を意味せず、各プロセスの実行順序はその機能と内部ロジックによって確定されるべきであり、本発明の実施例の実施プロセスのいかなる限定を構成すべきではないと理解すべきである。
【０２７３】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０２７４】
当業者は便宜上且つ簡潔に説明するために、上述したシステム、装置とユニットの具体的な動作プロセスについて上記方法の実施例における対応するプロセスを参照することができ、ここでは説明を省略することを明確に理解することができる。
【０２７５】
本出願が提供するいくつかの実施例では、開示されたシステム、装置及び方法は他の方式により実現されてもよいと理解すべきである。例えば、上述した装置の実施例は例示的なものに過ぎず、例えば、前記ユニットの区分はロジック機能的区分に過ぎず、実際に実施する時に他の区分方式もあり得る。例えば複数のユニット又は部材は組み合わせられてもよく、又は他のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０２７６】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０２７７】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０２７８】
前記機能はソフトウェア機能ユニットの形態で実現され且つ独立した製品として販売又は使用される場合、一つのコンピュータ可読記憶媒体に格納されてもよい。このような理解に基づき、本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０２７９】
以上は、本発明の具体的な実施形態に過ぎず、本発明の保護範囲はこれに制限されず、当業者が本発明に開示された技術範囲内で容易に想到し得る変形又は入れ替わりが全て本発明の保護範囲以内に含まれるべきである。したがって、本発明の保護範囲は特許請求の範囲によって準拠されるべきである。
【図１】
2019526946.tif 000003
【図２】
2019526946.tif 000004
【図３】
2019526946.tif 000005
【図４】
2019526946.tif 000006
【図５】
2019526946.tif 000007
【図６】
2019526946.tif 000008
【図７】
2019526946.tif 000009
【図８】
2019526946.tif 000010
【図９】
2019526946.tif 000011
【図１０】
2019526946.tif 000012
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
データ伝送方法であって、
送信側がフィードバック情報を受信する前に、前記送信側が前記受信側へ同じ情報を含む複数のデータパケットを連続的に送信し、前記フィードバック情報が前記受信側が前記複数のデータパケットの少なくとも部分のデータパケットを正確に受信したか否かを示すことに用いられることと、
前記送信側が前記受信側から送信された前記フィードバック情報を受信することと、
前記送信側が前記フィードバック情報に基づいて後続のデータを伝送することとを含む、データ伝送方法。
【請求項２】
前記送信側が前記受信側へ同じ情報を含む複数のデータパケットを連続的に送信することは、
前記送信側が前記複数のデータパケットの各々に対応する伝送パターンに基づき、前記受信側へ前記複数のデータパケットを連続的に送信することを含むことを特徴とする
請求項１に記載の方法。
【請求項３】
前記フィードバック情報が前記複数のデータパケットのうちのターゲットデータパケットの伝送情報を含み、前記送信側が前記フィードバック情報に基づいて後続のデータを伝送することは、
前記送信側が前記ターゲットデータパケットの伝送情報に基づき、前記ターゲットデータパケットに対応する伝送パターンを確定することと、
前記送信側が前記ターゲットデータパケットに対応する伝送パターンに基づき、後続のデータを伝送するための伝送パターンを確定することと、
前記送信側が前記後続のデータパケットを伝送するための伝送パターンで、前記後続のデータを伝送することとを含み、
前記ターゲットデータパケットの伝送情報は、前記ターゲットデータパケットに対応する伝送パターン及び／又は前記ターゲットデータパケットの伝送シーケンス番号を含むことを特徴とする
請求項２に記載の方法。
【請求項４】
前記ターゲットデータパケットは、
前記受信側に正確に受信されていないデータパケットと、
前記受信側に正確に受信されたデータパケットと、
前記複数のデータパケットを伝送するための少なくとも一つのチャネルのうちのチャネル品質が最も良いチャネルで伝送されたデータパケットと、
前記複数のデータパケットを伝送するための少なくとも一つのチャネルのうちのチャネル品質が最も悪いチャネルで伝送されたデータパケットと、
前記複数のデータパケットのうちの誤り検出率が最も低いデータパケットと、
前記複数のデータパケットのうちの誤り検出率が最も高いデータパケットのいずれか一つのデータパケットとを含むことを特徴とする
請求項３に記載の方法。
【請求項５】
前記伝送パターンは、
ハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報から構成されることを特徴とする
請求項２乃至４のいずれか一項に記載の方法。
【請求項６】
前記フィードバック情報は前記受信側が前記送信側から送信された前記複数のデータパケットのうちの指定されたデータパケットを正確に受信したか否かを示すための指示情報を含み、前記指定されたデータパケットが前記フィードバック情報とプリセット時間シーケンス関係を有するデータパケットであり、
前記プリセット時間シーケンス関係は前記送信側と前記受信側とによって予め定められた時間シーケンス関係であり、又は、前記プリセット時間シーケンス関係は前記送信側がシグナリングによって前記受信側に送信したものであることを特徴とする
請求項１乃至５のいずれか一項に記載の方法。
【請求項７】
前記フィードバック情報は、
前記受信側が前記複数のデータパケットのうちのいずれか一つのデータパケットである第一のデータパケットを正確に受信したか否かを示すための指示情報と、
前記受信側が前記複数のデータパケットのうちの少なくとも２つのデータパケットを正確に受信したか否かを示すための指示情報と、
前記受信側が前記複数のデータパケットに含まれる情報を正確に受信したか否かを示すための指示情報のいずれか一つを含むことを特徴とする
請求項１乃至６のいずれか一項に記載の方法。
【請求項８】
前記送信側が前記フィードバック情報に基づいて後続のデータを伝送することは、
前記フィードバック情報に確認ＡＣＫ情報が含まれる場合、前記送信側が前記複数のデータパケットに含まれる情報と同じデータパケットの送信を停止することと、
前記フィードバック情報に否定ＮＡＣＫ情報が含まれる場合、前記送信側が前記複数のデータパケットに含まれる情報と同じデータパケットを伝送することとを含むことを特徴とする
請求項１乃至７のいずれか一項に記載の方法。
【請求項９】
前記方法はさらに、
前記送信側によって送信された前記複数のデータパケットの数が予め設定された閾値以上である場合、前記送信側が前記複数のデータパケットに含まれる情報と同じデータパケットの送信を停止することを含むことを特徴とする
請求項１乃至８のいずれか一項に記載の方法。
【請求項１０】
データ伝送方法であって、
受信側が送信側によって連続的に送信された、同じ情報を含む複数のデータパケットを受信することと、
前記受信側が前記複数のデータパケットのうちの少なくとも部分のデータパケットを検出し、前記少なくとも部分のデータパケットの検出結果を確定することと、
前記受信側が前記少なくとも部分のデータパケットの検出結果に基づき、前記少なくとも部分のデータパケットの前記フィードバック情報を確定し、前記フィードバック情報が前記受信側が前記複数のデータパケットのうちの少なくとも部分のデータパケットを正確に受信したか否かを示すための指示情報を含むことと、
前記受信側が前記送信側へ前記フィードバック情報を送信することとを含むデータ伝送方法。
【請求項１１】
前記受信側が前記送信側によって連続的に送信された、同じ情報を含む複数のデータパケットを受信することは、
前記受信側が前記複数のデータパケットの各々に対応する伝送パターンに基づき、前記送信側によって連続的に送信された、同じ情報を含む複数のデータパケットを受信することを含むことを特徴とする
請求項１０に記載の方法。
【請求項１２】
前記受信側が前記送信側へ前記フィードバック情報を送信することは、
前記受信側が前記送信側へ前記フィードバック情報を送信することを含み、前記フィードバック情報が前記複数のデータパケットのうちのターゲットデータパケットに対応する伝送パターン及び／又は前記ターゲットデータパケットの伝送シーケンス番号を示すための情報を含み、
前記ターゲットデータパケットは、
前記受信側に正確に受信されていないデータパケットと、
前記受信側に正確に受信されたデータパケットと、
前記複数のデータパケットを伝送するための少なくとも一つのチャネルのうちのチャネル品質が最も良いチャネルで伝送されたデータパケットと、
前記複数のデータパケットを伝送するための少なくとも一つのチャネルのうちのチャネル品質が最も悪いチャネルで伝送されたデータパケットと、
前記複数のデータパケットのうちの誤り検出率が最も低いデータパケットと、
前記複数のデータパケットのうちの誤り検出率が最も高いデータパケットのいずれか一つのデータパケットとを含むことを特徴とする
請求項１１に記載の方法。
【請求項１３】
前記受信側が前記送信側へ前記フィードバック情報を送信することは、
前記受信側が前記送信側へ前記フィードバック情報を送信することを含み、前記フィードバック情報が前記受信側が前記送信側から送信された前記複数のデータパケットのうちの指定されたデータパケットを正確に受信したか否かを示すための指示情報を含み、前記指定されたデータパケットが前記フィードバック情報とプリセット時間シーケンス関係を有するデータパケットであり、
前記プリセット時間シーケンス関係は前記送信側と前記受信側とによって予め定められた時間シーケンス関係であり、又は、前記プリセット時間シーケンス関係は前記送信側がシグナリングによって前記受信側に送信したものであることを特徴とする
請求項１０乃至１２のいずれか一項に記載の方法。
【請求項１４】
前記受信側が送信側によって連続的に送信された、同じ情報を含む複数のデータパケットを受信する前に、前記方法はさらに、
前記受信側が前記送信側から送信されたスケジューリングシグナリングを受信し、前記スケジューリングシグナリングが前記送信側から送信された前記複数のデータパケットを受信するように前記受信側に指示することに用いられること、又は、
前記受信側が前記複数のデータパケットと一対一で対応する複数のスケジューリングシグナリングを受信し、前記複数のスケジューリングシグナリングの各々が前記各スケジューリングシグナリングに対応するデータパケットを受信するように前記受信側に指示することに用いられることを含むことを特徴とする
請求項１０乃至１３のいずれか一項に記載の方法。
【請求項１５】
データ伝送装置であって、
メモリと、プロセッサとを含み、
前記メモリに命令が記憶され、前記プロセッサが前記命令を実行する場合、請求項１乃至９のいずれか一項に記載の方法、又は請求項１０乃至１４のいずれか一項に記載の方法を実行するように構成される、装置。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
データ伝送方法であって、
送信側がフィードバック情報を受信する前に、前記送信側が前記受信側へ同じ情報を含む複数のデータパケットを連続的に送信し、前記フィードバック情報が前記受信側が前記複数のデータパケットの少なくとも部分のデータパケットを正確に受信したか否かを示すことに用いられることと、
前記送信側が前記受信側から送信された前記フィードバック情報を受信することと、
前記送信側が前記フィードバック情報に基づいて後続のデータを伝送することとを含む、データ伝送方法。
【請求項２】
前記送信側が前記受信側へ同じ情報を含む複数のデータパケットを連続的に送信することは、
前記送信側が前記複数のデータパケットの各々に対応する伝送パターンに基づき、前記受信側へ前記複数のデータパケットを連続的に送信することを含むことを特徴とする
請求項１に記載の方法。
【請求項３】
前記送信側が受信側へ同じ情報を含む複数のデータパケットを連続的に送信することは、
前記送信側が異なる伝送パターンに基づいて前記受信側へ前記複数のデータパケットを送信することを含むことを特徴とする
請求項２に記載の方法。
【請求項４】
前記フィードバック情報が前記複数のデータパケットのうちのターゲットデータパケットの伝送情報を含み、前記送信側が前記フィードバック情報に基づいて後続のデータを伝送することは、
前記送信側が前記ターゲットデータパケットの伝送情報に基づき、前記ターゲットデータパケットに対応する伝送パターンを確定することと、
前記送信側が前記ターゲットデータパケットに対応する伝送パターンに基づき、後続のデータを伝送するための伝送パターンを確定することと、
前記送信側が前記後続のデータパケットを伝送するための伝送パターンで、前記後続のデータを伝送することとを含み、
前記ターゲットデータパケットの伝送情報は、前記ターゲットデータパケットに対応する伝送パターン及び／又は前記ターゲットデータパケットの伝送シーケンス番号を含むことを特徴とする
請求項２又は３に記載の方法。
【請求項５】
前記伝送パターンは、
ハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報から構成されることを特徴とする
請求項２乃至４のいずれか一項に記載の方法。
【請求項６】
前記複数のデータパケットの各々に対応する伝送パターンは前記送信側と前記受信側とによって予め定められたものであり、又は
前記複数のデータパケットの各々に対応する伝送パターンは前記送信側がシグナリングによって前記受信側に送信したものであることを特徴とする
請求項２乃至５のいずれか一項に記載の方法。
【請求項７】
前記フィードバック情報は、
前記受信側が前記複数のデータパケットのうちのいずれか一つのデータパケットである第一のデータパケットを正確に受信したか否かを示すための指示情報と、
前記受信側が前記複数のデータパケットのうちの少なくとも２つのデータパケットを正確に受信したか否かを示すための指示情報と、
前記受信側が前記複数のデータパケットに含まれる情報を正確に受信したか否かを示すための指示情報のいずれか一つを含むことを特徴とする
請求項１乃至６のいずれか一項に記載の方法。
【請求項８】
前記送信側が前記フィードバック情報に基づいて後続のデータを伝送することは、
前記フィードバック情報に確認ＡＣＫ情報が含まれる場合、前記送信側が前記複数のデータパケットに含まれる情報と同じデータパケットの送信を停止することと、
前記フィードバック情報に否定ＮＡＣＫ情報が含まれる場合、前記送信側が前記複数のデータパケットに含まれる情報と同じデータパケットを伝送することとを含むことを特徴とする
請求項１乃至７のいずれか一項に記載の方法。
【請求項９】
前記方法はさらに、
前記送信側によって送信された前記複数のデータパケットの数が予め設定された閾値以上である場合、前記送信側が前記複数のデータパケットに含まれる情報と同じデータパケットの送信を停止することを含むことを特徴とする
請求項１乃至８のいずれか一項に記載の方法。
【請求項１０】
データ伝送方法であって、
受信側が送信側によって連続的に送信された、同じ情報を含む複数のデータパケットを受信することと、
前記受信側が前記複数のデータパケットのうちの少なくとも部分のデータパケットを検出し、前記少なくとも部分のデータパケットの検出結果を確定することと、
前記受信側が前記少なくとも部分のデータパケットの検出結果に基づき、前記少なくとも部分のデータパケットの前記フィードバック情報を確定し、前記フィードバック情報が前記受信側が前記複数のデータパケットのうちの少なくとも部分のデータパケットを正確に受信したか否かを示すための指示情報を含むことと、
前記受信側が前記送信側へ前記フィードバック情報を送信することとを含むデータ伝送方法。
【請求項１１】
前記受信側が前記送信側によって連続的に送信された、同じ情報を含む複数のデータパケットを受信することは、
前記受信側が前記複数のデータパケットの各々に対応する伝送パターンに基づき、前記送信側によって連続的に送信された、同じ情報を含む複数のデータパケットを受信することを含むことを特徴とする
請求項１０に記載の方法。
【請求項１２】
前記受信側が送信側によって連続的に送信された、同じ情報を含む複数のデータパケットを受信することは、
前記受信側が異なる伝送パターンに基づいて前記送信側から送信された同じ情報を含む前記複数のデータパケットを受信することを含むことを特徴とする
請求項１１に記載の方法。
【請求項１３】
前記伝送パターンは、
ハイブリッド自動再送リクエストＨＡＲＱ冗長バージョン情報、周波数領域リソース情報、時間領域リソース情報、ビームフォーミングベクトル情報、サブ搬送波間隔情報、データ伝送時間長情報、パイロットシーケンス情報とスクランブルシーケンス情報のうちの少なくとも一つの伝送情報から構成されることを特徴とする
請求項１１又は１２に記載の方法。
【請求項１４】
前記複数のデータパケットの各々に対応する伝送パターンは前記送信側と前記受信側とによって予め定められたものであり、又は
前記複数のデータパケットの各々に対応する伝送パターンは前記送信側がシグナリングによって前記受信側に送信したものであることを特徴とする
請求項１０乃至１３のいずれか一項に記載の方法。
【請求項１５】
データ伝送装置であって、
メモリと、プロセッサとを含み、
前記メモリに命令が記憶され、前記プロセッサが前記命令を実行する場合、請求項１乃至９のいずれか一項に記載の方法、又は請求項１０乃至１４のいずれか一項に記載の方法を実行するように構成される、装置。
【国際調査報告】
2019526946.tif 000013
2019526946.tif 000014
2019526946.tif 000015
2019526946.tif 000016